(57)【要約】【課題】天井を破損させることなく壁にパネルを安定的に設置する。【解決手段】壁構造は、壁１にパネル５を設置するために壁１に固定される支持体４を備える。支持体４は、垂直方向に延びる第一縦フレーム１１及び第二縦フレーム１２と、壁１に対して第一縦フレーム１１及び第二縦フレーム１２を締結する締結機構と、床２に対して第一縦フレーム１１及び第二縦フレーム１２を突っ張らせる突っ張り機構と、を備える。これにより、第一縦フレーム１１及び第二縦フレーム１２を天井に当接させなくても、第一縦フレーム１１及び第二縦フレーム１２を壁に安定して設置することができるため、壁１に設置された第一縦フレーム１１及び第二縦フレーム１２にパネル５を取り付けることで、天井を破損させることなく、壁１にパネル５を安定して設置することができる。【選択図】図１６
2020197111.tif 000002
【特許請求の範囲】
【請求項１】
壁にパネルを設置するために前記壁に固定される支持体を備え、
前記支持体は、垂直方向に延びる縦フレームと、前記壁に対して前記縦フレームを締結する締結機構と、床に対して前記縦フレームを突っ張らせる突っ張り機構と、を備える、
壁構造。
【請求項２】
前記壁には、ネジ穴が形成されており、
前記締結機構は、前記ネジ穴に対して前記縦フレームを締結する、
請求項１に記載の壁構造。
【請求項３】
前記縦フレームは、前記パネルを掛止するための切欠きを有する、
請求項１又は２に記載の壁構造。
【請求項４】
前記壁構造は、前記縦フレームとして、互いに水平方向に並設される第一縦フレーム及び第二縦フレームを備え、
前記締結機構は、水平方向に延びて前記第一縦フレーム及び前記第二縦フレームに接続される横フレームと、前記横フレームを前記壁に締結する締結用ネジと、を有する、
請求項１〜３の何れか一項に記載の壁構造。
【請求項５】
前記横フレームは、水平方向に延びて前記締結用ネジが挿入される水平長穴を有する、
請求項４に記載の壁構造。
【請求項６】
前記締結機構は、前記第一縦フレーム及び前記第二縦フレームと前記横フレームと締結する接続用ネジを更に備え、
前記縦フレーム及び前記横フレームの何れか一方は、前記接続用ネジがねじ込まれる接続用ネジ穴を有し、
前記縦フレーム及び前記横フレームの何れか他方は、垂直方向に延びて前記接続用ネジが挿入される垂直長穴を有する、
請求項４又は５に記載の壁構造。
【請求項７】
前記横フレームの下方において、水平方向に延びるように配設されて前記第一縦フレーム及び前記第二縦フレームに接続される中段横フレームを更に備える、
請求項４〜６の何れか一項に記載の壁構造。
【請求項８】
前記中段横フレームは、前記パネルを掛止するための切欠きを有する、
請求項７に記載の壁構造。
【請求項９】
前記支持体に設置されるパネルを更に備え、
前記パネルは、前記支持体側の面から突出して前記支持体に掛止される掛止部を有する、
請求項１〜８の何れか一項に記載の壁構造。
【請求項１０】
前記パネルは、前記掛止部よりも下方において前記支持体側の面から突出した突起部を有し、
前記支持体は、前記掛止部が垂直方向に掛止される被掛止部と、前記掛止部が前記被掛止部に掛止された際に前記突起部が挿入される挿入孔と、を有する、
請求項９に記載の壁構造。
【請求項１１】
前記掛止部は、前記支持体側の面から突出して垂直方向において前記支持体に掛止される第一掛止部と、前記第一掛止部から下方に延びて前記パネルの反対側から前記支持体に掛止される第二掛止部と、を有し、
前記第二掛止部の垂直方向の長さは、前記挿入孔における前記突起部の上側の垂直方向の隙間の長さよりも長い、
請求項１０に記載の壁構造。
【請求項１２】
前記掛止部は、前記支持体側の面から突出して垂直方向において前記支持体に掛止される第一掛止部と、前記第一掛止部から下方に延びて前記パネルの反対側から前記支持体に掛止される第二掛止部と、を有し、
前記第一掛止部から前記突起部までの垂直方向の長さから前記被掛止部から前記挿入孔までの垂直方向の長さを引いた長さを上側隙間長さとした場合、前記第二掛止部の垂直方向の長さは、上側隙間長さよりも長い、
請求項１０に記載の壁構造。
【請求項１３】
前記縦フレームは、強磁性体を含む、
請求項１〜１２の何れか一項に記載の壁構造。
【請求項１４】
パネルと、
前記パネルと前記支持体とを吸着するマグネットと、を更に備える、
請求項１３に記載の壁構造。
【請求項１５】
壁に対して垂直方向に延びる縦フレームを締結し、
床に対して前記縦フレームを突っ張らせる、
壁構造の施工方法。
【請求項１６】
前記壁に形成されたネジ穴に対して前記縦フレームを締結する、
請求項１５に記載の壁構造の施工方法。
【請求項１７】
前記縦フレームとして、第一縦フレーム及び第二縦フレームを互いに水平方向に並設し、
水平方向に延びる横フレームを前記第一縦フレーム及び前記第二縦フレームに接続するとともに、締結用ネジにより前記横フレームを前記壁に締結する、
請求項１５又は１６に記載の壁構造の施工方法。
【請求項１８】
マグネットの磁力により、パネルを前記縦フレームに吸着させる、
請求項１５〜１７の何れか一項に記載の壁構造の施工方法。
【発明の詳細な説明】
【技術分野】
【０００１】
本発明は、壁にパネルを設置するための壁構造及び壁構造の施工方法に関する。
【背景技術】
【０００２】
従来、既設の壁にパネルを後施工する技術として、例えば、特許文献１に記載された間仕切り壁がある。特許文献１に記載された間仕切り壁は、複数本の縦枠と、隣接する２本の縦枠に掛け渡される複数の横枠と、縦枠と横枠とで形成される設置枠に設置される壁パネルとを備える。そして、複数本の縦枠を天井と床との間に突っ張らせて固定させ、縦枠又は横枠と壁パネルとをマグネットの磁力により連結する。
【先行技術文献】
【特許文献】
【０００３】
【特許文献１】特開２０１５−０１７４７３号公報
【発明の概要】
【発明が解決しようとする課題】
【０００４】
一般的に、天井は強度が低いため強い力で押すと破損するおそれがある。このため、特許文献１に記載された技術のように縦枠を天井と床との間に突っ張らせると、天井が破損するという問題がある。
【０００５】
ところで、近年の集合住宅等では、フック等のネジによって壁に穴が開けられるのを抑制するために、壁の上部に、ネジ穴を有するアンカが予め埋められていることがある。このような壁では、アンカのネジ穴を利用してパネルを壁に締結することができる。しかしながら、このアンカは、壁の上部に一列に並設されるものであるため、水平方向には複数設けられているものの、垂直方向には一つしか設けられていない。このため、このような壁にパネルを設置することができたとしても、パネルの安定性が十分ではないという問題がある。
【０００６】
そこで、本発明は、天井を破損させることなく壁にパネルを安定的に設置することができる壁構造及び壁構造の施工方法を提供することを課題とする。
【課題を解決するための手段】
【０００７】
本発明に係る壁構造は、壁にパネルを設置するために壁に固定される支持体を備え、支持体は、垂直方向に延びる縦フレームと、壁に対して縦フレームを締結する締結機構と、床に対して縦フレームを突っ張らせる突っ張り機構と、を備える。
【０００８】
この壁構造では、締結機構が壁に対して縦フレームを締結し、突っ張り機構が床に対して縦フレームを突っ張らせることで、縦フレームを天井に当接させなくても、縦フレームを壁に安定して設置することができる。このため、壁に設置された縦フレームにパネルを取り付けることで、天井を破損させることなく、壁にパネルを安定して設置することができる。例えば、壁にネジ穴が形成されている場合は、このネジ穴を利用して縦フレームを壁に対して締結することができる。なお、壁に対して縦フレームを締結するとは、壁に直接的に縦フレームを締結する場合だけでなく、壁に他部材を介して間接的に縦フレームを締結する場合も含む意味である。同様に、床に対して縦フレームを突っ張らせるとは、床に直接的に縦フレームを突っ張らせる場合だけでなく、床に他部材を介して間接的に縦フレームを突っ張らせる場合も含む意味である。
【０００９】
上記の壁構造において、壁には、ネジ穴が形成されており、締結機構は、ネジ穴に対して縦フレームを締結してもよい。この壁構造では、壁に形成されたネジ穴に対して縦フレームを締結するため、壁を破損させることなく、壁にパネルを安定して設置することができる。
【００１０】
上記の壁構造において、縦フレームは、パネルを掛止するための切欠きを有してもよい。この壁構造では、縦フレームにパネルを掛止するための切欠きが形成されているため、当該切欠きにパネルを掛止することで、容易にパネルを設置することができる。
【００１１】
上記の壁構造において、壁構造は、縦フレームとして、互いに水平方向に並設される第一縦フレーム及び第二縦フレームを備え、締結機構は、水平方向に延びて第一縦フレーム及び第二縦フレームに接続される横フレームと、横フレームを壁に締結する締結用ネジと、を有してもよい。この壁構造では、第一縦フレーム及び第二縦フレームは、横フレームに接続され、横フレームは、締結用ネジにより壁に締結されるため、第一縦フレーム及び第二縦フレームは、横フレーム及び締結用ネジを介して壁に締結される。そして、第一縦フレーム及び第二縦フレームが互いに水平方向に並設されるため、第一縦フレーム及び第二縦フレームにパネルを取り付けた際に、パネルの安定性を向上することができる。
【００１２】
上記の壁構造において、横フレームは、水平方向に延びて締結用ネジが挿入される水平長穴を有してもよい。この壁構造では、横フレームが、水平方向に延びて締結用ネジが挿入される水平長穴を有するため、締結用ネジを壁にねじ込む際に、壁に対する横フレームの位置を水平方向に調整することができる。このため、例えば、壁にネジ穴が形成されている場合に、ネジ穴の水平方向の位置精度が悪くても、壁に対して第一縦フレーム及び第二縦フレームを締結することができる。
【００１３】
上記の壁構造において、締結機構は、第一縦フレーム及び第二縦フレームと横フレームと締結する接続用ネジを更に備え、縦フレーム及び横フレームの何れか一方は、接続用ネジがねじ込まれる接続用ネジ穴を有し、縦フレーム及び横フレームの何れか他方は、垂直方向に延びて接続用ネジが挿入される垂直長穴を有してもよい。この壁構造では、縦フレーム及び横フレームの何れか一方が、接続用ネジがねじ込まれる接続用ネジ穴を有し、縦フレーム及び横フレームの何れか他方が、垂直方向に延びて接続用ネジが挿入される垂直長穴を有するため、接続用ネジを接続用ネジ穴にねじ込む際に、横フレームに対する第一縦フレーム及び第二縦フレームの位置を垂直方向に調整することができる。このため、例えば、横フレームを壁に締結した後、接続用ネジに対する垂直長穴の締結位置を調整することで、第一縦フレーム及び第二縦フレームを床に対して突っ張らせることができる。また、例えば、壁にネジ穴が形成されている場合に、ネジ穴の垂直方向の位置精度が悪くても、壁に対して第一縦フレーム及び第二縦フレームを締結することができる。
【００１４】
上記の壁構造において、横フレームの下方において、水平方向に延びるように配設されて第一縦フレーム及び第二縦フレームに接続される中段横フレームを更に備えてもよい。この壁構造では、横フレームの下方において、水平方向に延びるように配設された中段横フレームが第一縦フレーム及び第二縦フレームに接続されるため、支持体を枠状に構成することができる。これにより、支持体の剛性を高めて、第一縦フレームと第二縦フレームとの位置関係がずれるのを抑制することができる。
【００１５】
上記の壁構造において、中段横フレームは、パネルを掛止するための切欠きを有してもよい。この壁構造では、中段横フレームにパネルを掛止するための切欠きが形成されているため、当該切欠きにパネルを掛止することで、容易にパネルを設置することができる。
【００１６】
上記の壁構造において、支持体に設置されるパネルを更に備え、パネルは、支持体側の面から突出して支持体に掛止される掛止部を有してもよい。この壁構造では、パネルの掛止部を支持体に掛止することで、容易にパネルを設置することができる。
【００１７】
上記の壁構造において、パネルは、掛止部よりも下方において支持体側の面から突出した突起部を有し、支持体は、掛止部が垂直方向に掛止される被掛止部と、掛止部が被掛止部に掛止された際に突起部が挿入される挿入孔と、を有してもよい。この壁構造では、パネルの掛止部を支持体の被掛止部に掛止することで、パネルを支持体に設置することができる。ここで、作業者がぶつかる等してパネルに上向きの力が作用すると、パネルが跳ね上がって、被掛止部から掛止部が外れる可能性がある。しかしながら、パネルの突起部が支持体の挿入孔に挿入されるため、作業者がぶつかる等してパネルに上向きの力が作用しても、パネルの上方への移動が規制される。これにより、パネルの跳ね上がりが抑制されるため、被掛止部から掛止部が外れるのを抑制することができる。
【００１８】
上記の壁構造において、掛止部は、支持体側の面から突出して垂直方向において支持体に掛止される第一掛止部と、第一掛止部から下方に延びてパネルの反対側から支持体に掛止される第二掛止部と、を有し、第二掛止部の垂直方向の長さは、挿入孔における突起部の上側の垂直方向の隙間の長さよりも長くてもよい。この壁構造では、パネルの掛止部を支持体の被掛止部に掛止すると、第一掛止部が被掛止部に載置されて、第二掛止部がパネルの反対側から支持体に掛止される。そして、第二掛止部の垂直方向の長さが、挿入孔における突起部の上側の垂直方向の隙間の長さよりも長いため、作業者がぶつかる等してパネルに上向きの力が作用しても、被掛止部から掛止部が外れるのを抑制することができる。
【００１９】
上記の壁構造において、掛止部は、支持体側の面から突出して垂直方向において支持体に掛止される第一掛止部と、第一掛止部から下方に延びてパネルの反対側から支持体に掛止される第二掛止部と、を有し、第一掛止部から突起部までの垂直方向の長さから被掛止部から挿入孔までの垂直方向の長さを引いた長さを上側隙間長さとした場合、第二掛止部の垂直方向の長さは、上側隙間長さよりも長くてもよい。この壁構造では、パネルの掛止部を支持体の被掛止部に掛止すると、第一掛止部が被掛止部に載置されて、第二掛止部がパネルの反対側から支持体に掛止される。そして、パネルが上側隙間長さしか上方に移動できないのに対し、第二掛止部の垂直方向の長さが上側隙間長さよりも長いため、作業者がぶつかる等してパネルに上向きの力が作用しても、被掛止部から掛止部が外れるのを抑制することができる。
【００２０】
上記の壁構造において、縦フレームは、強磁性体を含んでもよい。この壁構造では、縦フレームが強磁性体を含むため、例えば、マグネットによりパネルを縦フレームに吸着させることができる。
【００２１】
上記の壁構造において、パネルと、パネルと支持体とを吸着するマグネットと、を更に備えてもよい。この壁構造では、パネルがマグネットの磁力により支持体に吸着されるため、縦フレームに対するパネルの着脱を容易に行うことができる。
【００２２】
本発明に係る壁構造の施工方法は、壁に対して垂直方向に延びる縦フレームを締結し、床に対して縦フレームを突っ張らせる。
【００２３】
この壁構造の施工方法では、壁に対して垂直方向に延びる縦フレームを固定し、床に対して縦フレームを突っ張らせることで、縦フレームを天井に当接させなくても、縦フレームを壁に安定して設置することができる。このため、壁に設置された縦フレームにパネルを取り付けることで、天井を破損させることなく、壁にパネルを安定して設置することができる。
【００２４】
上記の壁構造の施工方法において、壁に形成されたネジ穴に対して縦フレームを締結してもよい。この壁構造の施工方法では、壁に形成されたネジ穴に対して縦フレームを締結するため、壁を破損させることなく、壁にパネルを安定して設置することができる。
【００２５】
上記の壁構造の施工方法において、縦フレームとして、第一縦フレーム及び第二縦フレームを互いに水平方向に並設し、水平方向に延びる横フレームを第一縦フレーム及び第二縦フレームに接続するとともに、締結用ネジにより横フレームを壁に締結してもよい。この壁構造の施工方法では、水平方向に延びる横フレームを第一縦フレーム及び第二縦フレームに接続するとともに、締結用ネジにより横フレームを壁に締結することで、第一縦フレーム及び第二縦フレームは、横フレーム及び締結用ネジを介して壁に締結される。そして、第一縦フレーム及び第二縦フレームが互いに水平方向に並設されるため、第一縦フレーム及び第二縦フレームにパネルを取り付けた際に、パネルの安定性を更に向上することができる。
【００２６】
上記の壁構造の施工方法において、マグネットの磁力により、パネルを縦フレームに吸着させてもよい。この壁構造の施工方法では、マグネットの磁力によりパネルを縦フレームに吸着させるため、縦フレームに対するパネルの着脱を容易行うことができる。
【発明の効果】
【００２７】
本発明によれば、天井を破損させることなく壁にパネルを安定的に設置することができる。
【図面の簡単な説明】
【００２８】
【図１】図１（ａ）は、ネジ穴が形成された壁を示す正面図であり、図１（ｂ）は、図１（ａ）に示すＩｂ−Ｉｂ線における断面図である。
【図２】第一実施形態に係る壁構造の支持体を壁に設置した状態を示す正面図である。
【図３】第一実施形態に係る壁構造のパネルセットを壁に設置した状態を示す正面図である。
【図４】図２に示すＩＶ−ＩＶ線における断面図である。
【図５】図２に示すＶ−Ｖ線における断面図である。
【図６】図６（ａ）は、第一縦フレームを示す斜視図であり、図６（ｂ）は、第二縦フレームを示す斜視図である。
【図７】図７（ａ）は、第一縦フレームを示す分解斜視図であり、図７（ｂ）は、第二縦フレームを示す分解斜視図である。
【図８】図８（ａ）は、上段横フレームを示す斜視図であり、図８（ｂ）は、上段横フレームを示す正面図であり、図８（ｃ）は、上段横フレームを示す平面図である。
【図９】図９（ａ）は、中段横フレームを示す斜視図であり、図９（ｂ）は、中段横フレームを示す正面図であり、図９（ｃ）は、中段横フレームを示す平面図である。
【図１０】図１０（ａ）は、下段横フレームを示す斜視図であり、図１０（ｂ）は、下段横フレームを示す正面図であり、図１０（ｃ）は、下段横フレームを示す平面図である。
【図１１】図１１（ａ）は、上段パネルを示す裏面図であり、図１１（ｂ）は、中段パネルを示す裏面図であり、図１１（ｃ）は、下段パネルを示す裏面図である。
【図１２】図１２（ａ）は、図１１（ａ）に示すＸＩＩａ−ＸＩＩａ線における断面図であり、図１２（ｂ）は、図１１（ｂ）に示すＸＩＩｂ−ＸＩＩｂ線における断面図であり、図１２（ｃ）は、図１１（ｃ）に示すＸＩＩｃ−ＸＩＩｃ線における断面図である。
【図１３】上段横フレームを設置している状態を示す斜視図である。
【図１４】第一縦フレーム及び第二縦フレームを設置している状態を示す斜視図である。
【図１５】中段横フレーム及び下段横フレームを設置している状態を示す斜視図である。
【図１６】中段横フレーム及び下段横フレームを設置した状態を示す斜視図である。
【図１７】支持体の各フレームにマグネットを取り付けた状態を示す斜視図である。
【図１８】パネルセットを設置している状態を示す斜視図である。
【図１９】パネルセットを設置した状態を示す斜視図である。
【図２０】壁に棚等を磁力で吸着させている状態を示す斜視図である。
【図２１】図２１（ａ）は、マグネット吸着棚をパネルに吸着させた状態を示す斜視図であり、図２１（ｂ）は、マグネット吸着棚をパネルに吸着させた状態を示す断面図である。
【図２２】図２２（ａ）は、分割体をパネルに吸着させた状態を示す斜視図であり、図２２（ｂ）は、分割体をパネルに吸着させた状態を示す断面図である。
【図２３】図２３（ａ）は、分割体をパネルに吸着させた状態を示す斜視図であり、図２３（ｂ）は、分割体をパネルに吸着させた状態を示す断面図である。
【図２４】第二実施形態に係る壁構造の支持体を壁に設置した状態を示す正面図である。
【図２５】第二実施形態に係る壁構造の支持体を壁に設置した状態を示す斜視図である。
【図２６】図２６（ａ）は、中段パネル及び下段パネルを示す裏面図であり、図２６（ｂ）は、図２６（ａ）に示すＸＸＸＶＩｂ−ＸＸＸＶＩｂ線における断面図である。
【図２７】第三実施形態に係る壁構造の支持体を壁に設置した状態を示す正面図である。
【図２８】図２８（ａ）は、中段パネル及び下段パネルを示す裏面図であり、図２８（ｂ）は、図２８（ａ）に示すＸＸＶＩＩＩｂ−ＸＸＶＩＩＩｂ線における断面図である。
【図２９】第四実施形態に係る壁構造の支持体を壁に設置した状態を示す正面図である。
【図３０】図３０（ａ）は、上段パネルを示す裏面図であり、図３０（ｂ）は、図３０（ａ）に示すＸＸＸｂ−ＸＸＸｂ線における断面図である。
【図３１】図３１（ａ）は、中段パネル及び下段パネルを示す裏面図であり、図３１（ｂ）は、図３１（ａ）に示すＸＸＸＩｂ−ＸＸＸＩｂ線における断面図である。
【図３２】変形例に係る壁構造の一部を示す断面図である。
【図３３】変形例に係る壁構造の支持体を壁に設置した状態を示す斜視図である。
【図３４】変形例に係る壁構造の支持体を壁に設置した状態を示す斜視図である。
【図３５】変形例に係る壁構造の支持体を壁に設置した状態を示す斜視図である。
【図３６】図３６（ａ）は、変形例に係るパネルを示す平面図であり、図３６（ｂ）は、図３６（ａ）に示すパネルの裏面図である。
【図３７】第五実施形態に係る壁構造の支持体を壁に設置した状態を示す正面図である。
【図３８】図３８（ａ）は、上段パネルを示す裏面図であり、図３８（ｂ）は、図３８（ａ）に示すＸＸＸＶＩＩＩｂ−ＸＸＸＶＩＩＩｂ線における断面図である。
【図３９】図３９（ａ）は、中段パネル及び下段パネルを示す裏面図であり、図３９（ｂ）は、図３９（ａ）に示すＸＸＸＩＸｂ−ＸＸＸＩＸｂ線における断面図である。
【図４０】上段パネルの掛止部及び突起部と支持体との関係を説明するための図である。
【図４１】中段パネル及び下段パネルの掛止部及び突起部と支持体との関係の例を説明するための図である。
【図４２】上段パネルの掛止部及び突起部と支持体との関係の例を説明するための図である。
【図４３】中段パネル及び下段パネルの掛止部及び突起部と支持体との関係の例を説明するための図である。
【発明を実施するための形態】
【００２９】
以下、図面を参照して、実施形態の壁構造及び壁構造の施工方法について詳細に説明する。なお、全図中、同一または相当部分には同一符号を付し、重複する説明を省略する。
【００３０】
［第一実施形態］
図１〜図３に示すように、本実施形態に係る壁構造は、既設の壁１にパネル５が設置された壁構造、又は既設の壁１にパネル５を設置するための壁構造である。なお、以下の説明において、上下の方向は、壁構造における上下の方向をいう。壁１は、床２から垂直に立ち上がっており、壁１の下端部には、巾木３が取り付けられている。
【００３１】
本実施形態に係る壁構造は、壁１と、支持体４と、複数のパネル５からなるパネルセット６と、を備える。但し、壁構造は、複数のパネル５からなるパネルセット６の代わりに、一枚のパネル５を備えるものとしてもよい。壁１は、床２から垂直に立ち上がる建物の壁である。壁１の下端部には、床２から垂直に立ち上がる巾木３が取り付けられている。
【００３２】
図１（ａ）に示すように、壁１には、複数のネジ穴７が形成されている。本実施形態では、複数のネジ穴７は、壁１の上部の所定高さ位置において、等間隔で水平方向に一列に配置されている。つまり、水平方向においては、壁１に複数のネジ穴７が形成されているが、垂直方向においては、壁１に一つのネジ穴７のみが形成されている。但し、垂直方向に複数のネジ穴７が形成されていてもよい。なお、垂直方向は、上下方向、鉛直方向等ともいう。
【００３３】
図１（ｂ）に示すように、各ネジ穴７は、例えば、壁１に埋め込まれたアンカ８により形成される。アンカ８は、壁１の施工時に壁１に埋め込まれる埋め込みアンカであり、内周面にネジ穴９が形成されている。アンカ８は、例えば、スタッド（不図示）に結合された状態で壁１に埋め込まれている。
【００３４】
図２及び図３に示すように、支持体４は、壁１に取り付けられるとともに、パネルセット６が取り付けられる部材である。支持体４は、第一縦フレーム１１及び第二縦フレーム１２と、上段横フレーム１３と、中段横フレーム１４及び中段横フレーム１５と、下段横フレーム１６と、を備える。
【００３５】
第一縦フレーム１１、第二縦フレーム１２、上段横フレーム１３、中段横フレーム１４、中段横フレーム１５、及び下段横フレーム１６のそれぞれは、磁力により吸着することが可能な素材を含んでいる。つまり、これらのフレームのそれぞれは、全部が、磁力により吸引される強磁性体により構成されていてもよく、一部が、このような強磁性体により構成されていてもよい。また、これらのフレームのそれぞれは、全部が、マグネットにより構成されていてもよく、一部が、マグネットにより構成されていてもよい。なお、一部がマグネットにより構成された形態としては、フレーム自体の一部がマグネットにより構成された形態や、マグネット以外の部材で構成されたフレームのパネル吸着面にマグネットが設けられた形態であってもよい。フレームのパネル吸着面とは、パネル５が設置される（吸着される）面である。また、フレームのパネル吸着面側の全面にマグネットが設けられていてもよく、パネル吸着面側の一部にマグネットが設けられていてもよい。
【００３６】
第一縦フレーム１１及び第二縦フレーム１２は、支持体４の支柱となる部材である。第一縦フレーム１１及び第二縦フレーム１２のそれぞれは、直線状に形成されて、垂直方向に延びている。第一縦フレーム１１と第二縦フレーム１２とは、互いに水平方向に並設されている。第一縦フレーム１１及び第二縦フレーム１２のそれぞれの水平断面は、コ字状（Ｃ字状）に形成されている（図４参照）。水平断面は、第一縦フレーム１１及び第二縦フレーム１２の延在方向である垂直方向と直交する水平方向の断面である。
【００３７】
図６及び図７に示すように、第一縦フレーム１１の下端部には、壁１に設置された巾木３に対応する切欠き１１ａが形成されている。第一縦フレーム１１の下端には、床２に対して安定的に接地するために大面積化された接地部１１ｂが形成されている。また、第二縦フレーム１２の下端部には、壁１に設置された巾木３に対応する切欠き１２ａが形成されている。第二縦フレーム１２の下端には、床２に対して安定的に接地するために大面積化された接地部１２ｂが形成されている。接地部１１ｂの下部及び接地部１２ｂの下部のそれぞれには、床２に対する摩擦抵抗を大きくして設置安定性を向上させるための弾性ポリウレタン等の樹脂弾性体や、床面保護のためのフェルト材等の保護材を設けてもよい。
【００３８】
第一縦フレーム１１の第二縦フレーム１２側の側壁には、垂直長穴１１ｆと、ネジ穴１１ｇと、ネジ穴１１ｈと、ネジ穴１１ｉと、が形成されている。ネジ穴１１ｇは、垂直長穴１１ｆの下方に位置し、ネジ穴１１ｈは、ネジ穴１１ｇの下方に位置し、ネジ穴１１ｉは、ネジ穴１１ｈの下方に位置する。また、第二縦フレーム１２の第一縦フレーム１１側の側壁には、垂直長穴１２ｆと、ネジ穴１２ｇと、ネジ穴１２ｈと、ネジ穴１２ｉと、が形成されている。ネジ穴１２ｇは、垂直長穴１２ｆの下方に位置し、ネジ穴１２ｈは、ネジ穴１２ｇの下方に位置し、ネジ穴１２ｉは、ネジ穴１２ｈの下方に位置する。
【００３９】
図２及び図４〜図７に示すように、垂直長穴１１ｆ及び垂直長穴１２ｆは、上段横フレーム１３を第一縦フレーム１１又は第二縦フレーム１２に接続する接続用ネジ１８が挿入される、垂直方向に長い長穴である。ネジ穴１１ｇ及びネジ穴１２ｇは、中段横フレーム１４を第一縦フレーム１１又は第二縦フレーム１２に接続する接続用ネジ１９ａがねじ込まれるネジ穴である。ネジ穴１１ｈ及びネジ穴１２ｈは、中段横フレーム１５を第一縦フレーム１１又は第二縦フレーム１２に接続する接続用ネジ１９ｂがねじ込まれるネジ穴である。ネジ穴１１ｉ及びネジ穴１２ｉは、下段横フレーム１６を第一縦フレーム１１又は第二縦フレーム１２に接続する接続用ネジ１９ｃがねじ込まれるネジ穴である。
【００４０】
第一縦フレーム１１及び第二縦フレーム１２のそれぞれは、搬送容易性の観点から、複数の分割体を連結することにより構成されている。第一縦フレーム１１は、直線状に延びる第一縦フレーム分割体１１ｃ及び第一縦フレーム分割体１１ｄと、第一縦フレーム分割体１１ｃと第一縦フレーム分割体１１ｄとを連結するネジ等の締結部材１１ｅと、を備える。そして、締結部材１１ｅにより第一縦フレーム分割体１１ｃと第一縦フレーム分割体１１ｄとを連結することにより、第一縦フレーム１１が構成される。また、第二縦フレーム１２は、直線状に延びる第二縦フレーム分割体１２ｃ及び第二縦フレーム分割体１２ｄと、第二縦フレーム分割体１２ｃと第二縦フレーム分割体１２ｄとを連結するネジ等の締結部材１２ｅと、を備える。そして、締結部材１２ｅにより第二縦フレーム分割体１２ｃと第二縦フレーム分割体１２ｄとを連結することにより、第二縦フレーム１２が構成される。
【００４１】
上段横フレーム１３、中段横フレーム１４、中段横フレーム１５、及び下段横フレーム１６のそれぞれは、水平方向に延びて第一縦フレーム１１及び第二縦フレーム１２に接続される部材である。つまり、上段横フレーム１３、中段横フレーム１４、中段横フレーム１５、及び下段横フレーム１６のそれぞれは、第一縦フレーム１１及び第二縦フレーム１２に架け渡されるように接続される。中段横フレーム１４は、上段横フレーム１３の下方に配置され、中段横フレーム１５は、中段横フレーム１４の下方に配置され、下段横フレーム１６は、中段横フレーム１５の下方に配置される。
【００４２】
図２及び図８に示すように、上段横フレーム１３は、第一接続部１３ａと、第二接続部１３ｂと、第一締結部１３ｃと、第二締結部１３ｄと、中間部１３ｅと、を備える。
【００４３】
第一接続部１３ａは、上段横フレーム１３の一方側の端部に位置して、第一縦フレーム１１に接続される部位である。第一接続部１３ａの水平断面は、第一縦フレーム１１に対応したコ字状（Ｃ字状）に形成されている（図４参照）。そして、第一縦フレーム１１に対して上下方向に摺動可能となるように、第一接続部１３ａが第一縦フレーム１１に嵌め込まれている。
【００４４】
第二接続部１３ｂは、上段横フレーム１３の第一接続部１３ａとは反対側の端部に位置して、第二縦フレーム１２に接続される部位である。第二接続部１３ｂの水平断面は、第二縦フレーム１２に対応したコ字状（Ｃ字状）に形成されている。そして、第二縦フレーム１２に対して上下方向に摺動可能となるように、第二接続部１３ｂが第二縦フレーム１２に嵌め込まれている。
【００４５】
第一接続部１３ａの第二接続部１３ｂ側の側壁と、第二接続部１３ｂの第一接続部１３ａ側の側壁と、のそれぞれには、上段横フレーム１３を第一縦フレーム１１又は第二縦フレーム１２に接続する接続用ネジ１８がねじ込まれる接続用ネジ穴１３ｈが形成されている。
【００４６】
第一締結部１３ｃは、壁１に当接されるとともに壁１に締結される部位である。第一締結部１３ｃは、第一接続部１３ａの第二接続部１３ｂ側に接続されている。第一締結部１３ｃには、上段横フレーム１３を壁１に締結する締結用ネジ１７（図２及び図４参照）が挿入される水平長穴１３ｆが形成されている。水平長穴１３ｆは、水平方向に長い長穴である。締結用ネジ１７は、水平長穴１３ｆに挿入された状態で壁１に形成されたネジ穴７にねじ込まれることで、上段横フレーム１３を壁１に締結する。
【００４７】
第二締結部１３ｄは、壁１に当接されるとともに壁１に締結される部位である。第二締結部１３ｄは、第二接続部１３ｂの第一接続部１３ａ側に接続されている。第二締結部１３ｄには、上段横フレーム１３を壁１に締結する締結用ネジ１７（図２参照）が挿入される水平長穴１３ｇが形成されている。水平長穴１３ｇは、水平方向に長い長穴である。締結用ネジ１７は、水平長穴１３ｇに挿入された状態で壁１に形成されたネジ穴７にねじ込まれることで、上段横フレーム１３を壁１に締結する。
【００４８】
中間部１３ｅは、第一締結部１３ｃと第二締結部１３ｄとを接続する部位である。中間部１３ｅは、上段横フレーム１３の剛性を高めるために第一締結部１３ｃ及び第二締結部１３ｄに対して屈曲されている。このため、中間部１３ｅは、壁１から離間している。
【００４９】
ここで、上段横フレーム１３は、締結用ネジ１７により壁１に締結されるとともに、接続用ネジ１８により第一縦フレーム１１及び第二縦フレーム１２に接続される。つまり、第一縦フレーム１１及び第二縦フレーム１２は、上段横フレーム１３、締結用ネジ１７、及び接続用ネジ１８を介して間接的に壁１に締結される。このため、上段横フレーム１３、締結用ネジ１７、及び接続用ネジ１８は、第一縦フレーム１１及び第二縦フレーム１２を間接的に壁１に締結する締結機構を構成する。
【００５０】
また、上段横フレーム１３を第一縦フレーム１１又は第二縦フレーム１２に接続する際、接続用ネジ１８は、第一縦フレーム１１の垂直長穴１１ｆ及び第二縦フレーム１２の垂直長穴１２ｆに挿入される。垂直長穴１１ｆ及び垂直長穴１２ｆは、垂直方向に長い長穴であるため、接続用ネジ１８に対する垂直長穴１１ｆ及び垂直長穴１２ｆの締結位置を垂直方向に変えることができる。これにより、上段横フレーム１３を壁１に締結した後、接続用ネジ１８に対する垂直長穴１１ｆ及び垂直長穴１２ｆの締結位置を調整することで、第一縦フレーム１１及び第二縦フレーム１２を床２に対して突っ張らせることができる。このため、上段横フレーム１３、締結用ネジ１７、接続用ネジ１８、垂直長穴１１ｆ、及び垂直長穴１２ｆは、床２に対して第一縦フレーム１１及び第二縦フレーム１２を突っ張らせる突っ張り機構を構成する。
【００５１】
また、水平長穴１３ｆ及び水平長穴１３ｇは、水平方向に長い長穴であるため、締結用ネジ１７に対する水平長穴１３ｆ及び水平長穴１３ｇの位置を変えることができる。これにより、上段横フレーム１３の締結位置を水平方向に調整することができる。
【００５２】
図２及び図９に示すように、中段横フレーム１４は、第一接続部１４ａと、第二接続部１４ｂと、第一当接部１４ｃと、第二当接部１４ｄと、中間部１４ｅと、を備える。
【００５３】
第一接続部１４ａは、中段横フレーム１４の一方側の端部に位置して、第一縦フレーム１１に接続される部位である。第一接続部１４ａは、第一縦フレーム１１の第二縦フレーム１２側の側壁と平行な平板状に形成されている。第二接続部１４ｂは、中段横フレーム１４の第一接続部１４ａとは反対側の端部に位置して、第二縦フレーム１２に接続される部位である。第二接続部１４ｂは、第二縦フレーム１２の第一縦フレーム１１側の側壁と平行な平板状に形成されている。第一接続部１４ａ及び第二接続部１４ｂのそれぞれには、中段横フレーム１４を第一縦フレーム１１又は第二縦フレーム１２に接続する接続用ネジ１９ａが挿入される貫通穴１４ｆが形成されている。
【００５４】
第一当接部１４ｃは、第一接続部１４ａの第二接続部１４ｂ側に接続されて、壁１に当接される部位である。第二当接部１４ｄは、第二接続部１４ｂの第一接続部１４ａ側に接続されて、壁１に当接される部位である。なお、第一当接部１４ｃ及び第二当接部１４ｄには、上段横フレーム１３の水平長穴１３ｆ及び水平長穴１３ｇに対応する穴が形成されていない。
【００５５】
中間部１４ｅは、第一当接部１４ｃと第二当接部１４ｄとを接続する部位である。中間部１４ｅは、中段横フレーム１４の剛性を高めるために第一当接部１４ｃ及び第二当接部１４ｄに対して屈曲されている。このため、中間部１４ｅは、壁１から離間している。中間部１４ｅには、水平方向に延びるスリット１４ｇが形成されている。スリット１４ｇは、パネル５を掛止するために中間部１４ｅに形成された切欠きである。スリット１４ｇは、中間部１４ｅを水平方向に横切っている。つまり、スリット１４ｇは、中間部１４ｅの第一当接部１４ｃ側の先端から中間部１４ｅの第二当接部１４ｄ側の先端まで延びている。但し、スリット１４ｇは、中間部１４ｅを水平方向に横切っておらず、中間部１４ｅの一部にのみ形成されていてもよい。
【００５６】
中段横フレーム１５は、中段横フレーム１４と同一構成である。つまり、中段横フレーム１５は、第一接続部１４ａに対応する第一接続部１５ａと、第二接続部１４ｂに対応する第二接続部１５ｂと、第一当接部１４ｃに対応する第一当接部１５ｃと、第二当接部１４ｄに対応する第二当接部１５ｄと、中間部１４ｅに対応する中間部１５ｅと、を備える。第一接続部１５ａ及び第二接続部１５ｂのそれぞれには、貫通穴１４ｆに対応する貫通穴１５ｆが形成されている。中間部１５ｅには、スリット１４ｇに対応するスリット１５ｇが形成されている。なお、貫通穴１５ｆには、中段横フレーム１５を第一縦フレーム１１又は第二縦フレーム１２に接続する接続用ネジ１９ｂが挿入される。
【００５７】
図２及び図１０に示すように、下段横フレーム１６は、中段横フレーム１４と基本的に同一構成であり、中段横フレーム１４のスリット１４ｇが形成されていない点のみ、中段横フレーム１４と相違する。つまり、下段横フレーム１６は、第一接続部１４ａに対応する第一接続部１６ａと、第二接続部１４ｂに対応する第二接続部１６ｂと、第一当接部１４ｃに対応する第一当接部１６ｃと、第二当接部１４ｄに対応する第二当接部１６ｄと、中間部１４ｅに対応する中間部１６ｅと、を備える。第一接続部１６ａ及び第二接続部１６ｂのそれぞれには、貫通穴１４ｆに対応する貫通穴１６ｆが形成されている。なお、貫通穴１６ｆには、下段横フレーム１６を第一縦フレーム１１又は第二縦フレーム１２に接続する接続用ネジ１９ｃが挿入される。また、中間部１６ｅには、中段横フレーム１４のスリット１４ｇに対応する切欠きが形成されていない。
【００５８】
上述したようにパネルセット６は、複数のパネル５からなるが、本実施形態では、上段パネル５１、中段パネル５２、及び下段パネル５３からなるものとして説明する。上段パネル５１は、パネルセット６における最も上方に配置されるパネルであり、中段パネル５２は、上段パネル５１の下方に配置されるパネルであり、下段パネル５３は、中段パネル５２の下方であってパネルセット６における最も下方に配置されるパネルである。
【００５９】
図３、図１１（ａ）、及び図１２（ａ）に示すように、上段パネル５１は、パネル本体５１ａと、掛止部５１ｂと、を備える。
【００６０】
パネル本体５１ａは、支持体４に取り付けられる部材である。パネル本体５１ａは、支持体４に取り付けられることで、例えば、部屋等の空間の内装の一部となる。
【００６１】
パネル本体５１ａは、磁力により吸着することが可能な素材を含んでいる。つまり、パネル本体５１ａの全部が、強磁性体により構成されていてもよく、パネル本体５１ａの一部が、強磁性体により構成されていてもよい。また、パネル本体５１ａの全部が、マグネットにより構成されていてもよく、パネル本体５１ａの一部が、マグネットにより構成されていてもよい。
【００６２】
パネル本体５１ａは、薄い矩形板状に形成されている。パネル本体５１ａは、例えば、矩形板の四方が折り曲げられてなる一対の箱状部材を、表面５１ｃ側が裏面５１ｄ側に覆われるように互いに嵌め合わせ、その内部にウレタンフォーム等のコア材を充填することにより製造することができる。これにより、パネル本体５１ａの表面５１ｃ側のエッジを丸くすることができるとともに、パネル本体５１ａの軽量化を図ることができる。この場合、例えば、一対の箱状部材が強磁性体により構成されていれば、パネル本体５１ａを磁力により吸着するものとすることができる。なお、パネル本体５１ａの表裏面のうち、表面５１ｃは、パネル本体５１ａの壁１とは反対側に向けられる面であり、裏面５１ｄは、パネル本体５１ａの壁１側に向けられる面（支持体４側の面）である。
【００６３】
掛止部５１ｂは、上段パネル５１を上段横フレーム１３に掛止するための部材である。掛止部５１ｂは、パネル本体５１ａの裏面５１ｄの上部中央に固定されており、裏面５１ｄからフック状（鍵状）に延びている。このため、掛止部５１ｂを上方から上段横フレーム１３に引っ掛けることで、上段パネル５１を上段横フレーム１３の中間部１３ｅに掛止することが可能となっている。掛止部５１ｂは、一つのみであってもよく、複数であってもよい。
【００６４】
図３、図１１（ｂ）、及び図１２（ｂ）に示すように、中段パネル５２は、基本的に上段パネル５１と同様であり、掛止部５１ｂの代わりに掛止部５２ｂを備える点のみ上段パネル５１と相違する。つまり、中段パネル５２は、パネル本体５１ａに対応するパネル本体５２ａと、掛止部５２ｂと、を備える。なお、パネル本体５２ａの表裏面のうち、表面５２ｃは、パネル本体５２ａの壁１とは反対側に向けられる面であり、裏面５２ｄは、パネル本体５２ａの壁１側に向けられる面（支持体４側の面）である。
【００６５】
掛止部５２ｂは、中段パネル５２を中段横フレーム１４に掛止するための部材である。掛止部５２ｂは、パネル本体５２ａの裏面５２ｄの上部中央に固定されており、裏面５２ｄから水平方向に平板状（直線状）に延びている。掛止部５２ｂの厚さは、スリット１４ｇの幅よりも薄くなっている。このため、掛止部５２ｂをスリット１４ｇに挿入することで、中段パネル５２を中段横フレーム１４の中間部１４ｅに掛止することが可能となっている。掛止部５２ｂは、一つのみであってもよく、複数であってもよい。
【００６６】
図３、図１１（ｃ）、及び図１２（ｃ）に示すように、下段パネル５３は、中段パネル５２と同一構成である。つまり、下段パネル５３は、パネル本体５２ａに対応するパネル本体５３ａと、掛止部５２ｂに対応する掛止部５３ｂと、を備える。なお、パネル本体５３ａの表裏面のうち、表面５３ｃは、パネル本体５３ａの壁１とは反対側に向けられる面であり、裏面５３ｄは、パネル本体５３ａの壁１側に向けられる面（支持体４側の面）である。掛止部５３ｂは、下段パネル５３を中段横フレーム１５に掛止するための部材であり、中段横フレーム１５のスリット１５ｇに挿入することにより、下段パネル５３を中段横フレーム１５の中間部１５ｅに掛止することが可能となっている。
【００６７】
このように構成される壁構造では、上段横フレーム１３が、締結用ネジ１７により壁１に締結され、第一縦フレーム１１及び第二縦フレーム１２が、接続用ネジ１８により上段横フレーム１３に接続され、中段横フレーム１４、中段横フレーム１５、及び下段横フレーム１６が第一縦フレーム１１及び第二縦フレーム１２に接続されて、支持体４が構成されている。このため、第一縦フレーム１１及び第二縦フレーム１２は、上段横フレーム１３、締結用ネジ１７、及び接続用ネジ１８を介して間接的に壁１に締結されている。そして、第一縦フレーム１１及び第二縦フレーム１２が床２に対して突っ張るように、接続用ネジ１８に対する垂直長穴１１ｆ及び垂直長穴１２ｆの締結位置が調整されている。
【００６８】
また、上段パネル５１、中段パネル５２、及び下段パネル５３が、マグネット２１（図１８参照）により支持体４に取り付けられている。上段パネル５１は、上段横フレーム１３に対する掛止部５１ｂの引っ掛けと、マグネット２１の磁力吸着とにより、支持体４に取り付けられている。中段パネル５２は、スリット１４ｇに対する掛止部５２ｂの挿入と、マグネット２１の磁力吸着とにより、支持体４に取り付けられている。下段パネル５３は、スリット１５ｇに対する掛止部５３ｂの挿入と、マグネット２１の磁力吸着とにより、支持体４に取り付けられている。
【００６９】
マグネット２１は、マグネットシート等の磁力により吸着するものである。マグネット２１は、マグネット２１の磁力吸着によってのみ、上段パネル５１、中段パネル５２、及び下段パネル５３と支持体４とに取り付けられていてもよく、マグネット２１の磁力吸着と接着等の他の手段とによって、上段パネル５１、中段パネル５２、及び下段パネル５３と支持体４とに取り付けられていてもよい。後者の場合、例えば、マグネット２１は、上段パネル５１、中段パネル５２、及び下段パネル５３に接着されていてもよく、支持体４に接着されていてもよい。なお、マグネット２１は、支持体４を構成する全てのフレームに取り付けられていることが好ましいが、上段パネル５１、中段パネル５２、及び下段パネル５３を支持体４に取り付けることができれば、支持体４を構成する一部のフレームにのみ取り付けられていてもよい。
【００７０】
次に、本実施形態に係る壁構造の施工方法について説明する。
【００７１】
まず、図１３に示すように、壁１に上段横フレーム１３を締結する。壁１に対する上段横フレーム１３の締結では、締結用ネジ１７を水平長穴１３ｆ及び水平長穴１３ｇから壁１に形成されたネジ穴７にねじ込む。このとき、締結用ネジ１７に対する水平長穴１３ｆ及び水平長穴１３ｇの締結位置を調整することで、壁１に形成されたネジ穴７の水平方向の位置ズレを許容することができる。
【００７２】
次に、図１４に示すように、上段横フレーム１３に第一縦フレーム１１及び第二縦フレーム１２を接続する。上段横フレーム１３に対する第一縦フレーム１１及び第二縦フレーム１２の接続では、第一縦フレーム１１及び第二縦フレーム１２を第一接続部１３ａ及び第二接続部１３ｂに被せて、第一縦フレーム１１及び第二縦フレーム１２に第一接続部１３ａ及び第二接続部１３ｂを嵌め込む。そして、接続用ネジ１８を第一縦フレーム１１の垂直長穴１１ｆ及び第二縦フレーム１２の垂直長穴１２ｆから第一接続部１３ａ及び第二接続部１３ｂの接続用ネジ穴１３ｈにねじ込む。これにより、第一縦フレーム１１及び第二縦フレーム１２は、上段横フレーム１３、締結用ネジ１７、及び接続用ネジ１８を介して間接的に壁１に締結される。
【００７３】
このとき、第一縦フレーム１１及び第二縦フレーム１２が床２に対して突っ張るように、接続用ネジ１８に対する垂直長穴１１ｆ及び垂直長穴１２ｆの締結位置を調整する。これにより、第一縦フレーム１１及び第二縦フレーム１２が床２に対して突っ張った状態となる。
【００７４】
次に、図１５及び図１６に示すように、第一縦フレーム１１及び第二縦フレーム１２に中段横フレーム１４、中段横フレーム１５、及び下段横フレーム１６を接続する。第一縦フレーム１１及び第二縦フレーム１２に対する中段横フレーム１４の接続では、接続用ネジ１９ａを第一接続部１４ａ及び第二接続部１４ｂの貫通穴１４ｆから第一縦フレーム１１のネジ穴１１ｇ及び第二縦フレーム１２のネジ穴１２ｇにねじ込む。第一縦フレーム１１及び第二縦フレーム１２に対する中段横フレーム１５の接続では、接続用ネジ１９ｂを第一接続部１５ａ及び第二接続部１５ｂの貫通穴１５ｆから第一縦フレーム１１のネジ穴１１ｈ及び第二縦フレーム１２のネジ穴１２ｈにねじ込む。第一縦フレーム１１及び第二縦フレーム１２に対する下段横フレーム１６の接続では、接続用ネジ１９ｃを第一接続部１６ａ及び第二接続部１６ｂの貫通穴１６ｆから第一縦フレーム１１のネジ穴１１ｉ及び第二縦フレーム１２のネジ穴１２ｉにねじ込む。これにより、支持体４が枠構造となるため、支持体４の剛性が高められる。
【００７５】
次に、図１７に示すように、第一縦フレーム１１、第二縦フレーム１２、上段横フレーム１３、中段横フレーム１４、中段横フレーム１５、及び下段横フレーム１６のそれぞれに、マグネット２１を取り付ける。マグネット２１は、マグネットシート等の磁力により吸着するものである。第一縦フレーム１１、第二縦フレーム１２、上段横フレーム１３、中段横フレーム１４、中段横フレーム１５、及び下段横フレーム１６のそれぞれに対するマグネット２１の取り付けは、例えば、マグネット２１の磁力吸着により行ってもよく、接着により行ってもよい。このとき、中段横フレーム１４及び中段横フレーム１５に対しては、スリット１４ｇ及びスリット１５ｇが隠れないように、マグネット２１を取り付ける。これにより、支持体４の施工が完了する。
【００７６】
なお、マグネット２１は、予め第一縦フレーム１１、第二縦フレーム１２、上段横フレーム１３、中段横フレーム１４、中段横フレーム１５、及び下段横フレーム１６のそれぞれに取り付けられていてもよい。
【００７７】
次に、図１８及び図１９に示すように、上段パネル５１、中段パネル５２、及び下段パネル５３を支持体４に取り付ける。支持体４に対する上段パネル５１の取り付けでは、上段パネル５１の掛止部５１ｂを上段横フレーム１３に引っ掛けるとともに、上段パネル５１のパネル本体５１ａを支持体４に取り付けられたマグネット２１に吸着させる。支持体４に対する中段パネル５２の取り付けでは、中段パネル５２の掛止部５２ｂを中段横フレーム１４のスリット１４ｇに挿入するとともに、中段パネル５２のパネル本体５２ａを支持体４に取り付けられたマグネット２１に吸着させる。支持体４に対する下段パネル５３の取り付けでは、下段パネル５３の掛止部５３ｂを中段横フレーム１５のスリット１５ｇに挿入するとともに、下段パネル５３のパネル本体５３ａを支持体４に取り付けられたマグネット２１に吸着させる。これにより、壁１に上段パネル５１、中段パネル５２、及び下段パネル５３からなるパネルセット６が取り付けられた状態となる。
【００７８】
ここで、上段パネル５１、中段パネル５２、及び下段パネル５３は、磁力により吸着することが可能な素材を含んでいる。このため、図２０に示すように、パネルセット６には、磁力により吸着する棚、飾り物、額等の様々な物を取り付けることができる。例えば、パネルセット６には、図２１に示すようなマグネット吸着棚３０を吸着させることができる。
【００７９】
図２１に示すマグネット吸着棚３０は、背板３１と、背板３１に対して枠状に立ち上がる側板３２と、背板３１に接合されたマグネット３３と、を有する箱体である。マグネット吸着棚３０は、複数の分割体３４，３５，３６，３７に分割されている。分割体３４，３５，３６，３７のそれぞれは、少なくとも、背板３１の一部と、側板３２の一部と、マグネット３３の一部と、を備えている。図２２に示すように、分割体３４及び分割体３７は、背板３１の一部と、二辺の側板３２の一部と、マグネット３３の一部と、を備えている。図２３に示すように、分割体３５及び分割体３６は、背板３１の一部と、一辺の側板３２の一部と、マグネット３３の一部と、を備えている。このようなマグネット吸着棚３０では、分割体３４，３５，３６，３７のそれぞれを、パネルセット６上で自由に配置することができるため、分割体３４，３５，３６，３７を箱体に組み合わされた棚として利用することもでき、分割体３４，３５，３６，３７のそれぞれを棚として利用することもできる。
【００８０】
このように、本実施形態では、締結機構として機能する上段横フレーム１３、締結用ネジ１７、及び接続用ネジ１８が、壁１に対して第一縦フレーム１１及び第二縦フレーム１２を締結し、突っ張り機構として機能する上段横フレーム１３、締結用ネジ１７、接続用ネジ１８、垂直長穴１１ｆ、及び垂直長穴１２ｆが、床２に対して第一縦フレーム１１及び第二縦フレーム１２を突っ張らせる。これにより、第一縦フレーム１１及び第二縦フレーム１２を天井に当接させなくても、第一縦フレーム１１及び第二縦フレーム１２を壁１に安定して設置することができる。このため、壁１に設置された第一縦フレーム１１及び第二縦フレーム１２にパネル５を取り付けることで、天井を破損させることなく、壁１にパネル５を安定して設置することができる。
【００８１】
また、壁１に形成されたネジ穴７に対して第一縦フレーム１１及び第二縦フレーム１２を締結するため、壁１を破損させることなく、壁１にパネル５を安定して設置することができる。しかも、壁１に形成されたネジ穴７が垂直方向に一つしかなくても、壁１にパネル５を安定して設置することができる。
【００８２】
また、第一縦フレーム１１及び第二縦フレーム１２は、上段横フレーム１３、締結用ネジ１７、及び接続用ネジ１８を介して壁１に締結されて、互いに水平方向に並設される。このため、第一縦フレーム１１及び第二縦フレーム１２にパネル５を取り付けた際に、パネル５の安定性を向上することができる。
【００８３】
また、上段横フレーム１３が、水平方向に延びて締結用ネジ１７が挿入される水平長穴１３ｆ及び水平長穴１３ｇを有するため、締結用ネジ１７を壁１にねじ込む際に、壁１に対する上段横フレーム１３の位置を水平方向に調整することができる。このため、例えば、壁１に形成されたネジ穴７の水平方向の位置精度が悪くても、壁１に対して第一縦フレーム１１及び第二縦フレーム１２を締結することができる。
【００８４】
また、上段横フレーム１３が、接続用ネジ１８がねじ込まれる接続用ネジ穴１３ｈを有し、第一縦フレーム１１及び第二縦フレーム１２が、垂直方向に延びて接続用ネジ１８が挿入される垂直長穴１１ｆ及び垂直長穴１２ｆを有するため、接続用ネジ１８を接続用ネジ穴１３ｈにねじ込む際に、上段横フレーム１３に対する第一縦フレーム１１及び第二縦フレーム１２の位置を垂直方向に調整することができる。このため、上段横フレーム１３を壁１に締結した後、接続用ネジ１８に対する垂直長穴１１ｆ及び垂直長穴１２ｆの締結位置を調整することで、第一縦フレーム１１及び第二縦フレーム１２を床２に対して突っ張らせることができる。また、壁１に形成されたネジ穴７の垂直方向の位置精度が悪くても、壁１に対して第一縦フレーム１１及び第二縦フレーム１２を締結することができる。
【００８５】
また、上段横フレーム１３の下方において、水平方向に延びるように配設された中段横フレーム１４及び中段横フレーム１５が第一縦フレーム１１及び第二縦フレーム１２に接続されるため、支持体４を枠状に構成することができる。これにより、支持体４の剛性を高めて、第一縦フレーム１１と第二縦フレーム１２との位置関係がずれるのを抑制することができる。
【００８６】
また、中段横フレーム１４及び中段横フレーム１５にパネル５を掛止するためのスリット１４ｇ及びスリット１５ｇが形成されているため、当該スリット１４ｇ及びスリット１５ｇにパネル５を掛止することで、容易にパネル５を設置することができる。
【００８７】
また、支持体４を構成する各フレームが強磁性体を含むため、マグネット２１によりパネル５を支持体４の各フレームに吸着させることができるとともに、支持体４の各フレームに対するパネル５の着脱を容易に行うことができる。
【００８８】
また、パネル５の掛止部５１ｂ、掛止部５２ｂ、及び掛止部５３ｂを支持体４の上段横フレーム１３、中段横フレーム１４、及び中段横フレーム１５に掛止することで、容易にパネル５を設置することができる。
【００８９】
［第二実施形態］
次に、第二実施形態について説明する。第二実施形態は、基本的に第一実施形態と同様であり、第一縦フレーム及び第二縦フレームにスリットが形成されている点、中段横フレームを備えない点、及び中段パネル及び下段パネルの掛止部が異なる点のみ第一実施形態と相違する。このため、以下では、第一実施形態と相違する事項のみを説明し、第一実施形態と同様の事項の説明を省略する。
【００９０】
図２４及び図２５に示すように、第二実施形態に係る壁構造の支持体４Ａは、第一縦フレーム１１ａ及び第二縦フレーム１２ａと、上段横フレーム１３と、下段横フレーム１６と、を備える。なお、支持体４Ａは、第一実施形態の中段横フレーム１４及び中段横フレーム１５に対応する部材を備えない。
【００９１】
第一縦フレーム１１ａ及び第二縦フレーム１２ａは、基本的に第一実施形態の第一縦フレーム１１及び第二縦フレーム１２と同じであるが、第一実施形態において中段横フレーム１４が接続される位置に、スリット１１ｊ及びスリット１２ｊが形成されており、第一実施形態において中段横フレーム１５が接続される位置に、スリット１１ｋ及びスリット１２ｋが形成されている。
【００９２】
スリット１１ｊ及びスリット１１ｋは、パネル５を掛止するために第一縦フレーム１１ａに形成された切欠きである。スリット１１ｊ及びスリット１１ｋは、第一縦フレーム１１ａを水平方向に横切っている。但し、スリット１１ｊ及びスリット１１ｋは、第一縦フレーム１１ａを水平方向に横切っておらず、第一縦フレーム１１ａの一部にのみ形成されていてもよい。
【００９３】
スリット１２ｊ及びスリット１２ｋは、パネル５を掛止するために第二縦フレーム１２ａに形成された切欠きである。スリット１２ｊ及びスリット１２ｋは、第二縦フレーム１２ａを水平方向に横切っている。但し、スリット１２ｊ及びスリット１２ｋは、第二縦フレーム１２ａを水平方向に横切っておらず、第二縦フレーム１２ａの一部にのみ形成されていてもよい。
【００９４】
第二実施形態に係る壁構造のパネルセットは、上段パネル５１（図１１（ａ）及び図１２（ａ）参照）、中段パネル５２Ａ、及び下段パネル５３Ａからなる。
【００９５】
図２６に示すように、中段パネル５２Ａは、基本的に第一実施形態の中段パネル５２と同様であり、一対の掛止部５２ｂがパネル本体５２ａの裏面５２ｄの上部両端部に固定されている点のみ、第一実施形態の中段パネル５２と相違する。一対の掛止部５２ｂは、中段パネル５２Ａを第一縦フレーム１１ａ及び第二縦フレーム１２ａに掛止するための部材であり、第一縦フレーム１１ａのスリット１１ｊ及び第二縦フレーム１２ａのスリット１２ｊに対応する位置に固定されている。
【００９６】
また、下段パネル５３Ａは、基本的に第一実施形態の下段パネル５３と同様であり、一対の掛止部５３ｂがパネル本体５３ａの裏面５３ｄの上部両端部に固定されている点のみ、第一実施形態の下段パネル５３と相違する。一対の掛止部５３ｂは、下段パネル５３Ａを第一縦フレーム１１ａ及び第二縦フレーム１２ａに掛止するための部材であり、第一縦フレーム１１ａのスリット１１ｋ及び第二縦フレーム１２ａのスリット１２ｋに対応する位置に固定されている。
【００９７】
このように構成される壁構造では、上段横フレーム１３が、締結用ネジ１７により壁１に締結され、第一縦フレーム１１ａ及び第二縦フレーム１２ａが、接続用ネジ１８により上段横フレーム１３に接続され、下段横フレーム１６が第一縦フレーム１１ａ及び第二縦フレーム１２ａに接続されて、支持体４Ａが構成されている。このため、第一縦フレーム１１ａ及び第二縦フレーム１２ａは、上段横フレーム１３、締結用ネジ１７、及び接続用ネジ１８を介して間接的に壁１に締結されている。そして、第一縦フレーム１１ａ及び第二縦フレーム１２ａが床２に対して突っ張るように、接続用ネジ１８に対する垂直長穴１１ｆ及び垂直長穴１２ｆの締結位置が調整されている。
【００９８】
また、上段パネル５１、中段パネル５２Ａ、及び下段パネル５３Ａが、マグネット２１（図１８参照）により支持体４Ａに取り付けられている。上段パネル５１は、上段横フレーム１３に対する掛止部５１ｂの引っ掛けと、マグネット２１の磁力吸着とにより、支持体４に取り付けられている。中段パネル５２Ａは、スリット１１ｊ及びスリット１２ｊに対する一対の掛止部５２ｂの挿入と、マグネット２１の磁力吸着とにより、支持体４Ａに取り付けられている。下段パネル５３Ａは、スリット１１ｋ及びスリット１２ｋに対する一対の掛止部５３ｂの挿入と、マグネット２１の磁力吸着とにより、支持体４Ａに取り付けられている。
【００９９】
このように構成される壁構造を施工する際は、まず、第一実施形態と同様に、壁１に上段横フレーム１３を締結し、上段横フレーム１３に第一縦フレーム１１ａ及び第二縦フレーム１２ａを接続し、第一縦フレーム１１ａ及び第二縦フレーム１２ａに下段横フレーム１６を接続する。そして、第一縦フレーム１１ａ、第二縦フレーム１２ａ、上段横フレーム１３、及び下段横フレーム１６のそれぞれに、マグネット２１を取り付ける。これにより、支持体４Ａの施工が完了する。
【０１００】
次に、第一実施形態と同様に、上段パネル５１、中段パネル５２Ａ、及び下段パネル５３Ａを支持体４Ａに取り付ける。支持体４Ａに対する中段パネル５２Ａの取り付けでは、中段パネル５２Ａの一対の掛止部５２ｂを第一縦フレーム１１ａのスリット１１ｊ及び第二縦フレーム１２ａのスリット１２ｊに挿入するとともに、中段パネル５２Ａを支持体４Ａに取り付けられたマグネット２１に吸着させる。支持体４Ａに対する下段パネル５３Ａの取り付けでは、下段パネル５３Ａの一対の掛止部５３ｂを第一縦フレーム１１ａのスリット１１ｋ及び第二縦フレーム１２ａのスリット１２ｋに挿入するとともに、下段パネル５３Ａを支持体４Ａに取り付けられたマグネット２１に吸着させる。これにより、壁１に上段パネル５１、中段パネル５２Ａ、及び下段パネル５３Ａからなるパネルセットが取り付けられた状態となる。
【０１０１】
このように、本実施形態では、第一縦フレーム１１ａ及び第二縦フレーム１２ａに、中段パネル５２Ａを掛止するためのスリット１１ｊ及びスリット１２ｊと、下段パネル５３Ａを掛止するためのスリット１１ｋ及びスリット１２ｋとが形成されているため、当該スリットに中段パネル５２Ａ及び下段パネル５３Ａを掛止することで、容易に中段パネル５２Ａ及び下段パネル５３Ａを設置することができる。
【０１０２】
なお、本実施形態において、上段パネル５１の一対の掛止部５１ｂが中段パネル５２Ａや下段パネル５３Ａと同様にパネル本体５１ａの裏面５１ｄの上部両端部に固定されているものとし、第一縦フレーム１１ａ及び第二縦フレーム１２ａの上部に開口部を形成し、上段パネル５１の一対の掛止部５１ｂを第一縦フレーム１１ａ及び第二縦フレーム１２ａの上部の開口部に引っ掛ける形態としてもよい。
【０１０３】
［第三実施形態］
次に、第三実施形態について説明する。第三実施形態は、基本的に第一実施形態と同様であり、中段横フレームにスリットが形成されていない点、及び中段パネル及び下段パネルの掛止部が異なる点のみ第一実施形態と相違する。このため、以下では、第一実施形態と相違する事項のみを説明し、第一実施形態と同様の事項の説明を省略する。
【０１０４】
図２７に示すように、第三実施形態に係る壁構造の支持体４Ｂは、第一縦フレーム１１及び第二縦フレーム１２と、上段横フレーム１３と、中段横フレーム１４Ｂと、中段横フレーム１５Ｂと、下段横フレーム１６と、を備える。
【０１０５】
中段横フレーム１４Ｂ及び中段横フレーム１５Ｂは、第一実施形態のスリット１４ｇ及び１５ｇに対応する切欠きが形成されていない点を除き、第一実施形態の中段横フレーム１４及び中段横フレーム１５と同じである。
【０１０６】
第三実施形態に係る壁構造のパネルセットは、上段パネル５１（図１１（ａ）及び図１２（ａ）参照）、中段パネル５２Ｂ、及び下段パネル５３Ｂからなる。
【０１０７】
図２８に示すように、中段パネル５２Ｂは、基本的に第一実施形態の中段パネル５２と同様であり、掛止部５２ｂの代わりに掛止部５２ｅを備える点のみ、第一実施形態の中段パネル５２と相違する。掛止部５２ｅは、中段パネル５２Ｂを中段横フレーム１４Ｂに掛止するための部材である。掛止部５２ｅは、上段パネル５１の掛止部５１ｂと同一構成である。そして、掛止部５２ｅは、パネル本体５２ａの裏面５２ｄの上部中央に固定されて、中段横フレーム１４Ｂの中間部１４ｅに掛止される。
【０１０８】
また、下段パネル５３Ｂは、基本的に第一実施形態の下段パネル５３と同様であり、掛止部５３ｂの代わりに掛止部５３ｅを備える点のみ、第一実施形態の下段パネル５３と相違する。掛止部５３ｅは、下段パネル５３Ｂを中段横フレーム１５Ｂに掛止するための部材である。掛止部５３ｅは、上段パネル５１の掛止部５１ｂと同一構成である。そして、掛止部５３ｅは、パネル本体５３ａの裏面５３ｄの上部中央に固定されて、中段横フレーム１５Ｂの中間部１５ｅに掛止される。
【０１０９】
このように構成される壁構造では、上段横フレーム１３が、締結用ネジ１７により壁１に締結され、第一縦フレーム１１及び第二縦フレーム１２が、接続用ネジ１８により上段横フレーム１３に接続され、中段横フレーム１４Ｂ、中段横フレーム１５Ｂ、及び下段横フレーム１６が第一縦フレーム１１及び第二縦フレーム１２に接続されて、支持体４Ｂが構成されている。このため、第一縦フレーム１１及び第二縦フレーム１２は、上段横フレーム１３、締結用ネジ１７、及び接続用ネジ１８を介して間接的に壁１に締結されている。そして、第一縦フレーム１１及び第二縦フレーム１２が床２に対して突っ張るように、接続用ネジ１８に対する垂直長穴１１ｆ及び垂直長穴１２ｆの締結位置が調整されている。
【０１１０】
また、上段パネル５１、中段パネル５２Ｂ、及び下段パネル５３Ｂが、マグネット２１（図１８参照）により支持体４Ｂに取り付けられている。上段パネル５１は、上段横フレーム１３に対する掛止部５１ｂの引っ掛けと、マグネット２１の磁力吸着とにより、支持体４Ｂに取り付けられている。中段パネル５２Ｂは、中段横フレーム１４Ｂに対する掛止部５２ｅの引っ掛けと、マグネット２１の磁力吸着とにより、支持体４Ｂに取り付けられている。下段パネル５３Ｂは、中段横フレーム１５Ｂに対する掛止部５３ｅの引っ掛けと、マグネット２１の磁力吸着とにより、支持体４Ｂに取り付けられている。
【０１１１】
このように構成される壁構造を施工する際は、まず、第一実施形態と同様に、壁１に上段横フレーム１３を締結し、上段横フレーム１３に第一縦フレーム１１及び第二縦フレーム１２を接続し、第一縦フレーム１１及び第二縦フレーム１２に中段横フレーム１４Ｂ、中段横フレーム１５Ｂ、及び下段横フレーム１６を接続する。そして、第一縦フレーム１１、第二縦フレーム１２、上段横フレーム１３、中段横フレーム１４Ｂ、中段横フレーム１５Ｂ、及び下段横フレーム１６のそれぞれに、マグネット２１を取り付ける。これにより、支持体４Ｂの施工が完了する。
【０１１２】
次に、第一実施形態と同様に、上段パネル５１、中段パネル５２Ｂ、及び下段パネル５３Ｂを支持体４Ｂに取り付ける。支持体４Ｂに対する中段パネル５２Ｂの取り付けでは、中段パネル５２Ｂの掛止部５２ｅを中段横フレーム１４Ｂの中間部１４ｅに引っ掛けるとともに、中段パネル５２Ｂを支持体４Ｂに取り付けられたマグネット２１に吸着させる。また、支持体４Ｂに対する下段パネル５３Ｂの取り付けでは、下段パネル５３Ｂの掛止部５３ｅを中段横フレーム１５Ｂの中間部１５ｅに引っ掛けるとともに、下段パネル５３Ｂを支持体４Ｂに取り付けられたマグネット２１に吸着させる。これにより、壁１に上段パネル５１、中段パネル５２Ｂ、及び下段パネル５３Ｂからなるパネルセットが取り付けられた状態となる。
【０１１３】
［第四実施形態］
次に、第四実施形態について説明する。第四実施形態は、基本的に第一実施形態と同様であり、中段横フレームにスリットが形成されていない点、及び上段パネルの掛止部が異なる点のみ第一実施形態と相違する。このため、以下では、第一実施形態と相違する事項のみを説明し、第一実施形態と同様の事項の説明を省略する。
【０１１４】
図２９に示すように、第四実施形態に係る壁構造の支持体４Ｃは、第三実施形態の支持体４Ｂ（図２７参照）と同一構成である。つまり、支持体４Ｃは、第一縦フレーム１１及び第二縦フレーム１２と、上段横フレーム１３と、第三実施形態の中段横フレーム１４Ｂと同一構成の中段横フレーム１４Ｃと、第三実施形態の中段横フレーム１５Ｂと同一構成の中段横フレーム１５Ｃと、下段横フレーム１６と、を備える。
【０１１５】
第四実施形態に係る壁構造のパネルセットは、上段パネル５１Ｃ、中段パネル５２Ｃ、及び下段パネル５３Ｃからなる。
【０１１６】
図３０に示すように、上段パネル５１Ｃは、基本的に第一実施形態の上段パネル５１と同様であり、掛止部５１ｂの代わりに一対の掛止部５１ｆがパネル本体５１ａの裏面５１ｄの上部両端部に固定されている点のみ、第一実施形態の上段パネル５１と相違する。一対の掛止部５１ｆは、上段パネル５１Ｃを第一縦フレーム１１の上端１１ｍ及び第二縦フレーム１２の上端１２ｍに掛止するための部材である。一対の掛止部５１ｆは、第一縦フレーム１１ａ及び第二縦フレーム１２ａに対応する位置に固定されており、裏面５１ｄからフック状（鍵状）に延びている。このため、一対の掛止部５１ｆを上方から第一縦フレーム１１の上端１１ｍ及び第二縦フレーム１２の上端１２ｍに引っ掛けることで、上段パネル５１Ｃを第一縦フレーム１１の上端１１ｍ及び第二縦フレーム１２の上端１２ｍに掛止することが可能となっている。
【０１１７】
図３１に示すように、中段パネル５２Ｃは、基本的に第一実施形態の中段パネル５２と同様であり、掛止部５２ｂの代わりに掛止部５２ｆを備える点のみ、第一実施形態の中段パネル５２と相違する。掛止部５２ｆは、中段パネル５２Ｃを中段横フレーム１４Ｃに掛止するための部材である。掛止部５２ｆは、パネル本体５２ａの裏面５２ｄの上部中央に固定されており、裏面５２ｄからフック状（鍵状）に延びている。このため、掛止部５２ｆを上方から中段横フレーム１４Ｃの中間部１４ｅに引っ掛けることで、中段パネル５２Ｃを中段横フレーム１４Ｃの中間部１４ｅに掛止することが可能となっている。掛止部５２ｆは、一つのみであってもよく、複数であってもよい。
【０１１８】
また、下段パネル５３Ｃは、基本的に第一実施形態の下段パネル５３と同様であり、掛止部５３ｂの代わりに掛止部５３ｆを備える点のみ、第一実施形態の下段パネル５３と相違する。掛止部５３ｆは、下段パネル５３Ｃを中段横フレーム１５Ｃに掛止するための部材である。掛止部５３ｆは、パネル本体５３ａの裏面５３ｄの上部中央に固定されており、裏面５３ｄからフック状（鍵状）に延びている。このため、掛止部５３ｆを上方から中段横フレーム１５Ｃの中間部１５ｅに引っ掛けることで、下段パネル５３Ｃを中段横フレーム１５Ｃの中間部１５ｅに掛止することが可能となっている。掛止部５３ｆは、一つのみであってもよく、複数であってもよい。
【０１１９】
このように構成される壁構造では、上段横フレーム１３が、締結用ネジ１７により壁１に締結され、第一縦フレーム１１及び第二縦フレーム１２が、接続用ネジ１８により上段横フレーム１３に接続され、中段横フレーム１４Ｃ、中段横フレーム１５Ｃ、及び下段横フレーム１６が第一縦フレーム１１及び第二縦フレーム１２に接続されて、支持体４Ｃが構成されている。このため、第一縦フレーム１１及び第二縦フレーム１２は、上段横フレーム１３、締結用ネジ１７、及び接続用ネジ１８を介して間接的に壁１に締結されている。そして、第一縦フレーム１１及び第二縦フレーム１２が床２に対して突っ張るように、接続用ネジ１８に対する垂直長穴１１ｆ及び垂直長穴１２ｆの締結位置が調整されている。
【０１２０】
また、上段パネル５１Ｃ、中段パネル５２Ｃ、及び下段パネル５３Ｃが、マグネット２１（図１８参照）により支持体４Ｃに取り付けられている。上段パネル５１Ｃは、第一縦フレーム１１及び第二縦フレーム１２に対する一対の掛止部５１ｆの引っ掛けと、マグネット２１の磁力吸着とにより、支持体４Ｃに取り付けられている。中段パネル５２Ｃは、中段横フレーム１４Ｃに対する掛止部５２ｆの引っ掛けと、マグネット２１の磁力吸着とにより、支持体４Ｃに取り付けられている。下段パネル５３Ｃは、中段横フレーム１５Ｃに対する掛止部５３ｆの引っ掛けと、マグネット２１の磁力吸着とにより、支持体４Ｃに取り付けられている。
【０１２１】
このように構成される壁構造を施工する際は、まず、第一実施形態と同様に、壁１に上段横フレーム１３を締結し、上段横フレーム１３に第一縦フレーム１１及び第二縦フレーム１２を接続し、第一縦フレーム１１及び第二縦フレーム１２に中段横フレーム１４Ｃ、中段横フレーム１５Ｃ、及び下段横フレーム１６を接続する。そして、第一縦フレーム１１、第二縦フレーム１２、上段横フレーム１３、中段横フレーム１４Ｃ、中段横フレーム１５Ｃ、及び下段横フレーム１６のそれぞれに、マグネット２１を取り付ける。これにより、支持体４Ｃの施工が完了する。
【０１２２】
次に、第一実施形態と同様に、上段パネル５１Ｃ、中段パネル５２Ｃ、及び下段パネル５３Ｃを支持体４Ｃに取り付ける。支持体４Ｃに対する上段パネル５１Ｃの取り付けでは、上段パネル５１Ｃの一対の掛止部５１ｆを第一縦フレーム１１の上端１１ｍ及び第二縦フレーム１２の上端１２ｍに引っ掛けるとともに、上段パネル５１Ｃを支持体４Ｃに取り付けられたマグネット２１に吸着させる。支持体４Ｃに対する中段パネル５２Ｃの取り付けでは、中段パネル５２Ｃの掛止部５２ｆを中段横フレーム１４Ｃの中間部１４ｅに引っ掛けるとともに、中段パネル５２Ｃを支持体４Ｃに取り付けられたマグネット２１に吸着させる。また、支持体４Ｃに対する下段パネル５３Ｃの取り付けでは、下段パネル５３Ｃの掛止部５３ｆを中段横フレーム１５Ｃの中間部１５ｅに引っ掛けるとともに、下段パネル５３Ｃを支持体４Ｃに取り付けられたマグネット２１に吸着させる。これにより、壁１に上段パネル５１Ｃ、中段パネル５２Ｃ、及び下段パネル５３Ｃからなるパネルセットが取り付けられた状態となる。
【０１２３】
［第五実施形態］
次に、第五実施形態について説明する。第五実施形態は、基本的に第四実施形態と同様であり、パネルに突起部が形成されている点、及び支持部に挿入孔が形成されている点のみ第四実施形態と相違する。このため、以下では、第四実施形態と相違する事項のみを説明し、第四実施形態と同様の事項の説明を省略する。
【０１２４】
図３７に示すように、第五実施形態に係る壁構造の支持体４Ｈは、第一縦フレーム１１Ｈ及び第二縦フレーム１２Ｈと、上段横フレーム１３と、中段横フレーム１４Ｃと、中段横フレーム１５Ｃと、下段横フレーム１６と、を備える。また、第五実施形態に係る壁構造のパネルセットは、上段パネル５１Ｈ、中段パネル５２Ｈ、及び下段パネル５３Ｈからなる。
【０１２５】
図３８に示すように、上段パネル５１Ｈは、基本的に第四実施形態の上段パネル５１Ｃと同様であり、一対の突起部５１ｈがパネル本体５１ａの裏面５１ｄに固定されている点のみ、第四実施形態の上段パネル５１Ｃと相違する。一対の突起部５１ｈは、一対の掛止部５１ｆよりも下方において、裏面５１ｄから突出している。より具体的には、一対の突起部５１ｈは、一対の掛止部５１ｆよりも下方の、第一縦フレーム１１Ｈ及び第二縦フレーム１２Ｈに対応する位置に固定されており、裏面５１ｄから水平方向に棒状に延びている。なお、一対の掛止部５１ｆよりも下方の「下方」とは、垂直方向における下方であり、必ずしも水平方向において同じ位置である必要はない。一対の掛止部５１ｆは、第四実施形態と同一であるが、裏面５１Ｄから突出して垂直方向において支持体４Ｈに掛止される第一掛止部５１ｆ１と、第一掛止部５１ｆ１から下方に延びて上段パネル５１Ｈの反対側から支持体４Ｈに掛止される第二掛止部５１ｆ２と、を有する。第一掛止部５１ｆ１は、裏面５１Ｄから水平方向に延びて、第二掛止部５１ｆ２が第一縦フレーム１１Ｈ及び第二縦フレーム１２Ｈの上段パネル５１Ｈとは反対側に配置される長さに形成されている。
【０１２６】
図３９に示すように、中段パネル５２Ｈは、基本的に第四実施形態の中段パネル５２Ｃと同様であり、一対の突起部５２ｈがパネル本体５１ａの裏面５１ｄに固定されている点のみ、第四実施形態の中段パネル５２Ｃと相違する。一対の突起部５２ｈは、掛止部５２ｆよりも下方において、裏面５１ｄから突出している。より具体的には、一対の突起部５２ｈは、掛止部５２ｆよりも下方の、第一縦フレーム１１Ｈ及び第二縦フレーム１２Ｈに対応する位置に固定されており、裏面５１ｄから水平方向に棒状に延びている。なお、掛止部５２ｆよりも下方の「下方」とは、垂直方向における下方であり、必ずしも水平方向において同じ位置である必要はない。一対の掛止部５２ｆは、第四実施形態と同一であるが、裏面５１Ｄから突出して垂直方向において支持体４Ｈに掛止される第一掛止部５２ｆ１と、第一掛止部５２ｆ１から下方に延びて中段パネル５２Ｈの反対側から支持体４Ｈに掛止される第二掛止部５２ｆ２と、を有する。第一掛止部５２ｆ１は、裏面５１Ｄから水平方向に延びて、第二掛止部５２ｆ２が第一縦フレーム１１Ｈ及び第二縦フレーム１２Ｈの中段パネル５２Ｈとは反対側に配置される長さに形成されている。
【０１２７】
また、下段パネル５３Ｈは、基本的に第四実施形態の下段パネル５３Ｃと同様であり、一対の突起部５３ｈがパネル本体５１ａの裏面５１ｄに固定されている点のみ、第四実施形態の下段パネル５３Ｃと相違する。一対の突起部５３ｈは、掛止部５３ｆよりも下方において、裏面５１ｄから突出している。より具体的には、一対の突起部５３ｈは、掛止部５３ｆよりも下方の、第一縦フレーム１１Ｈ及び第二縦フレーム１２Ｈに対応する位置に固定されており、裏面５１ｄから水平方向に棒状に延びている。なお、掛止部５３ｆよりも下方の「下方」とは、垂直方向における下方であり、必ずしも水平方向において同じ位置である必要はない。一対の掛止部５３ｆは、第四実施形態と同一であるが、裏面５１Ｄから突出して垂直方向において支持体４Ｈに掛止される第一掛止部５３ｆ１と、第一掛止部５３ｆ１から下方に延びて下段パネル５３Ｈの反対側から支持体４Ｈに掛止される第二掛止部５３ｆ２と、を有する。第一掛止部５３ｆ１は、裏面５１Ｄから水平方向に延びて、第二掛止部５３ｆ２が第一縦フレーム１１Ｈ及び第二縦フレーム１２Ｈの下段パネル５３Ｈとは反対側に配置される長さに形成されている。
【０１２８】
図３７に示すように、第一縦フレーム１１Ｈ及び第二縦フレーム１２Ｈは、基本的に第四実施形態の第一縦フレーム１１及び第二縦フレーム１２と同様であるが、挿入孔が形成されている点のみ、第四実施形態の第一縦フレーム１１及び第二縦フレーム１２と相違する。第一縦フレーム１１Ｈの上端１１ｍ及び第二縦フレーム１２Ｈの上端１２ｍは、上段パネル５１Ｈの一対の掛止部５１ｆが垂直方向に掛止される被掛止部となり、中段横フレーム１４Ｃの中間部１４ｅの上端１４ｈは、中段パネル５２Ｈの掛止部５２ｆが垂直方向に掛止される被掛止部となり、中段横フレーム１５Ｈの中間部１５ｅの上端１５ｈは、下段パネル５３Ｈの掛止部５３ｆが垂直方向に掛止される被掛止部となる。以下の説明では、上段パネル５１Ｈの一対の掛止部５１ｆ、中段パネル５２Ｈの掛止部５２ｆ、及び下段パネル５３Ｈの掛止部５３ｆを、単に「掛止部」ともいい、第一縦フレーム１１Ｈの上端１１ｍ及び第二縦フレーム１２Ｈの上端１２ｍ、中段横フレーム１４Ｃの中間部１４ｅの上端１４ｈ、及び中段横フレーム１５Ｈの中間部１５ｅの上端１５ｈを、単に「被掛止部」ともいう。
【０１２９】
第一縦フレーム１１Ｈ及び第二縦フレーム１２Ｈには、上段パネル５１Ｈの一対の突起部５１ｈがそれぞれ挿入される挿入孔１１ｒ及び挿入孔１２ｒと、中段パネル５２Ｈの一対の突起部５２ｈがそれぞれ挿入される挿入孔１１ｓ及び挿入孔１２ｓと、下段パネル５３Ｈの一対の突起部５３ｈがそれぞれ挿入される挿入孔１１ｔ及び挿入孔１２ｔと、が形成されている。挿入孔１１ｒ及び挿入孔１２ｒは、上段パネル５１Ｈの一対の第一掛止部５１ｆ１が第一縦フレーム１１Ｈの上端１１ｍ及び第二縦フレーム１２Ｈの上端１２ｍに掛止された際に、上段パネル５１Ｈの一対の突起部５１ｈに対応する位置に形成されている。挿入孔１１ｓ及び挿入孔１２ｓは、中段パネル５２Ｈの第一掛止部５２ｆ１が中段横フレーム１４Ｃの中間部１４ｅの上端１４ｈに掛止された際に、中段パネル５２Ｈの一対の突起部５２ｈに対応する位置に形成されている。挿入孔１１ｔ及び挿入孔１２ｔは、下段パネル５３Ｈの第一掛止部５３ｆ１が中段横フレーム１５Ｈの中間部１５ｅの上端１５ｈに掛止された際に、下段パネル５３Ｈの一対の突起部５３ｈに対応する位置に形成されている。なお、挿入孔１１ｒ、挿入孔１２ｒ、挿入孔１１ｓ、挿入孔１２ｓ、挿入孔１１ｔ、及び挿入孔１２ｔの形状は、特に限定されるものではなく、例えば、四角形、円形等とすることができる。図３７では、これらの挿入孔は、一例として、下辺が水平となる矩形（正方形）であるものとして示している。
【０１３０】
図４０に示すように、第二掛止部５１ｆ２の垂直方向の長さは、挿入孔１１ｒ及び挿入孔１２ｒにおける、突起部５１ｈの上側の垂直方向の隙間の長さよりも長いことが好ましい。詳しく説明すると、第二掛止部５１ｆ２の垂直方向の長さを掛止部長さＡ１とし、第一縦フレーム１１Ｈの上端１１ｍ及び第二縦フレーム１２Ｈの上端１２ｍから突起部５１ｈまでの垂直方向の長さを長さＣ１とし、第一縦フレーム１１Ｈの上端１１ｍ及び第二縦フレーム１２Ｈの上端１２ｍから挿入孔１１ｒ及び挿入孔１２ｒまでの垂直方向の長さを長さＤ１とし、長さＣ１から長さＤ１を引いた長さを上側隙間長さＢ１とする。この場合、掛止部長さＡ１は、上側隙間長さＢ１より長いことが好ましい。
【０１３１】
図４１に示すように、第二掛止部５２ｆ２の垂直方向の長さは、挿入孔１１ｓ及び挿入孔１２ｓにおける、突起部５２ｈの上側の垂直方向の隙間の長さよりも長いことが好ましい。詳しく説明すると、第二掛止部５２ｆ２の垂直方向の長さを掛止部長さＡ２とし、中段横フレーム１４Ｃの中間部１４ｅの上端１４ｈから突起部５２ｈまでの垂直方向の長さを長さＣ２とし、中段横フレーム１４Ｃの中間部１４ｅの上端１４ｈから挿入孔１１ｓ及び挿入孔１２ｓまでの垂直方向の長さを長さＤ２とし、長さＣ２から長さＤ２を引いた長さを上側隙間長さＢ２とする。この場合、掛止部長さＡ２は、上側隙間長さＢ２より長いことが好ましい。
【０１３２】
また、第二掛止部５３ｆ２の垂直方向の長さは、挿入孔１１ｔ及び挿入孔１２ｔにおける、突起部５３ｈの上側の垂直方向の隙間の長さよりも長いことが好ましい。詳しく説明すると、第二掛止部５３ｆ２の垂直方向の長さを掛止部長さＡ３とし、中段横フレーム１５Ｃの中間部１５ｅの上端１５ｈから突起部５３ｈまでの垂直方向の長さをＣ３とし、中段横フレーム１５Ｃの中間部１５ｅの上端１５ｈから挿入孔１１ｔ及び挿入孔１２ｔまでの垂直方向の長さをＤ３とし、長さＣ３から長さＤ３を引いた長さを上側隙間長さＢ３とする。この場合、掛止部長さＡ３は、上側隙間長さＢ３より長いことが好ましい。
【０１３３】
このように構成される壁構造では、上段横フレーム１３が、締結用ネジ１７により壁１に締結され、第一縦フレーム１１Ｈ及び第二縦フレーム１２Ｈが、接続用ネジ１８により上段横フレーム１３に接続され、中段横フレーム１４Ｃ、中段横フレーム１５Ｃ、及び下段横フレーム１６が第一縦フレーム１１Ｈ及び第二縦フレーム１２Ｈに接続されて、支持体４Ｈが構成されている。このため、第一縦フレーム１１Ｈ及び第二縦フレーム１２Ｈは、上段横フレーム１３、締結用ネジ１７、及び接続用ネジ１８を介して間接的に壁１に締結されている。そして、第一縦フレーム１１Ｈ及び第二縦フレーム１２Ｈが床２に対して突っ張るように、接続用ネジ１８に対する垂直長穴１１ｆ及び垂直長穴１２ｆの締結位置が調整されている。
【０１３４】
また、上段パネル５１Ｈ、中段パネル５２Ｈ、及び下段パネル５３Ｈが、マグネット２１（図１８参照）により支持体４Ｈに取り付けられている。上段パネル５１Ｈは、第一縦フレーム１１Ｈ及び第二縦フレーム１２Ｈに対する一対の掛止部５１ｆの引っ掛けと、マグネット２１の磁力吸着とにより、支持体４Ｈに取り付けられている。中段パネル５２Ｈは、中段横フレーム１４Ｃに対する掛止部５２ｆの引っ掛けと、マグネット２１の磁力吸着とにより、支持体４Ｈに取り付けられている。下段パネル５３Ｈは、中段横フレーム１５Ｃに対する掛止部５３ｆの引っ掛けと、マグネット２１の磁力吸着とにより、支持体４Ｈに取り付けられている。
【０１３５】
このように構成される壁構造を施工する際は、まず、第一実施形態と同様に、壁１に上段横フレーム１３を締結し、上段横フレーム１３に第一縦フレーム１１Ｈ及び第二縦フレーム１２Ｈを接続し、第一縦フレーム１１Ｈ及び第二縦フレーム１２Ｈに中段横フレーム１４Ｃ、中段横フレーム１５Ｃ、及び下段横フレーム１６を接続する。そして、第一縦フレーム１１Ｈ、第二縦フレーム１２Ｈ、上段横フレーム１３、中段横フレーム１４Ｃ、中段横フレーム１５Ｃ、及び下段横フレーム１６のそれぞれに、マグネット２１を取り付ける。これにより、支持体４Ｈの施工が完了する。
【０１３６】
次に、第一実施形態と同様に、上段パネル５１Ｈ、中段パネル５２Ｈ、及び下段パネル５３Ｈを支持体４Ｈに取り付ける。支持体４Ｈに対する上段パネル５１Ｈの取り付けでは、上段パネル５１Ｈの一対の掛止部５１ｆを第一縦フレーム１１Ｈの上端１１ｍ及び第二縦フレーム１２Ｈの上端１２ｍに引っ掛けて、上段パネル５１Ｈの一対の突起部５１ｈを第一縦フレーム１１Ｈの挿入孔１１ｒ及び第二縦フレーム１２Ｈの挿入孔１２ｒに挿入する。そして、上段パネル５１Ｃを支持体４Ｃに取り付けられたマグネット２１に吸着させる。支持体４Ｈに対する中段パネル５２Ｈの取り付けでは、中段パネル５２Ｈの掛止部５２ｆを中段横フレーム１４Ｃの中間部１４ｅに引っ掛けて、中段パネル５２Ｈの一対の突起部５２ｈを第一縦フレーム１１Ｈの挿入孔１１ｓ及び第二縦フレーム１２Ｈの挿入孔１２ｓに挿入する。そして、中段パネル５２Ｈを支持体４Ｈに取り付けられたマグネット２１に吸着させる。支持体４Ｈに対する下段パネル５３Ｈの取り付けでは、下段パネル５３Ｈの掛止部５３ｆを中段横フレーム１５Ｃの中間部１５ｅに引っ掛けて、下段パネル５３Ｈの一対の突起部５３ｈを第一縦フレーム１１Ｈの挿入孔１１ｔ及び第二縦フレーム１２Ｈの挿入孔１２ｔに挿入する。そして、下段パネル５３Ｈを支持体４Ｈに取り付けられたマグネット２１に吸着させる。これにより、壁１に上段パネル５１Ｈ、中段パネル５２Ｈ、及び下段パネル５３Ｈからなるパネルセットが取り付けられた状態となる。
【０１３７】
なお、上段パネル５１Ｈ、中段パネル５２Ｈ、及び下段パネル５３Ｈは、支持体４Ｈに掛止されていなくても、マグネット２１の磁力によって支持体４Ｈに吸着された状態となる可能性がある。そこで、マグネット２１は、上段パネル５１Ｈの一対の突起部５１ｈが、挿入孔１１ｒ及び挿入孔１２ｒに挿入されずに、第一縦フレーム１１Ｈ及び第二縦フレーム１２Ｈの表面に当接されている場合に、マグネット２１の磁力によって上段パネル５１Ｈが支持体４Ｈに吸着されない程度の磁力を有していてもよい。また、マグネット２１は、中段パネル５２Ｈの一対の突起部５２ｈが、挿入孔１１ｓ及び挿入孔１２ｓに挿入されずに、第一縦フレーム１１Ｈ及び第二縦フレーム１２Ｈの表面に当接されている場合に、マグネット２１の磁力によって中段パネル５２Ｈが支持体４Ｈに吸着されない程度の磁力を有していてもよい。また、マグネット２１は、下段パネル５３Ｈの一対の突起部５３ｈが、挿入孔１１ｔ及び挿入孔１２ｔに挿入されずに、第一縦フレーム１１Ｈ及び第二縦フレーム１２Ｈの表面に当接されている場合に、マグネット２１の磁力によって下段パネル５３Ｈが支持体４Ｈに吸着されない程度の磁力を有していてもよい。
【０１３８】
このように、本実施形態では、上段パネル５１Ｈの一対の掛止部５１ｆ、中段パネル５２Ｈの掛止部５２ｆ、及び下段パネル５３Ｈの掛止部５３ｆを、第一縦フレーム１１Ｈの上端１１ｍ及び第二縦フレーム１２Ｈの上端１２ｍ、中段横フレーム１４Ｃの中間部１４ｅの上端１４ｈ、及び中段横フレーム１５Ｈの中間部１５ｅの上端１５ｈに掛止することで、上段パネル５１Ｈ、中段パネル５２Ｈ、及び下段パネル５３Ｈを支持体４Ｈに設置することができる。
【０１３９】
ここで、作業者がぶつかる等して上段パネル５１Ｈに上向きの力が作用すると、上段パネル５１Ｈが跳ね上がって、掛止部である上段パネル５１Ｈの一対の掛止部５１ｆが、被掛止部である第一縦フレーム１１Ｈの上端１１ｍ及び第二縦フレーム１２Ｈの上端１２ｍから外れる可能性がある。しかしながら、上段パネル５１Ｈの一対の突起部５１ｈが、支持体４Ｈの挿入孔１１ｒ及び挿入孔１２ｒに挿入されるため、作業者がぶつかる等して上段パネル５１Ｈに上向きの力が作用しても、上段パネル５１Ｈの上方への移動が規制される。これにより、上段パネル５１Ｈの跳ね上がりが抑制されるため、被掛止部である第一縦フレーム１１Ｈの上端１１ｍ及び第二縦フレーム１２Ｈの上端１２ｍから、掛止部である上段パネル５１Ｈの一対の掛止部５１ｆが外れるのを抑制することができる。これは、中段パネル５２Ｈ及び下段パネル５３Ｈでも同様である。
【０１４０】
また、上段パネル５１Ｈの一対の掛止部５１ｆを第一縦フレーム１１Ｈの上端１１ｍ及び第二縦フレーム１２Ｈの上端１２ｍに掛止すると、第一掛止部５１ｆ１が第一縦フレーム１１Ｈの上端１１ｍ及び第二縦フレーム１２Ｈの上端１２ｍに載置されて、第二掛止部５１ｆ２２が上段パネル５１Ｈの反対側から支持体４Ｈに掛止される。そして、図４２に示すように、第二掛止部５１ｆ２の垂直方向の長さが、挿入孔１１ｒ及び挿入孔１２ｒにおける一対の突起部５１ｈの上側の垂直方向の隙間の長さよりも長いため、作業者がぶつかる等して上段パネル５１Ｈに上向きの力が作用しても、第一縦フレーム１１Ｈの上端１１ｍ及び第二縦フレーム１２Ｈの上端１２ｍから一対の掛止部５１ｆが外れるのを抑制することができる。つまり、上段パネル５１Ｈが上側隙間長さＢ１しか上方に移動できないのに対し、掛止部長さＡ１が上側隙間長さＢ１よりも長いため、作業者がぶつかる等して上段パネル５１Ｈに上向きの力が作用しても、第一縦フレーム１１Ｈの上端１１ｍ及び第二縦フレーム１２Ｈの上端１２ｍから上段パネル５１Ｈの一対の掛止部５１ｆが外れるのを抑制することができる。これは、図４３に示すように、中段パネル５２Ｈ及び下段パネル５３Ｈでも同様である。
【０１４１】
以上、本発明の好適な実施形態について説明したが、本発明は上記実施形態に限定されるものではなく、適宜変更することができる。
【０１４２】
例えば、上記実施形態では、第一縦フレーム及び第二縦フレームのそれぞれの水平断面は、コ字状に形成されるものとして説明したが、例えば、図３２に示す壁構造の支持体４Ｄのように、第一縦フレーム１１Ｄ及び第二縦フレームに凹部を形成し、この凹部から壁１に向かって接続用ネジ１８をねじ込むようにしてもよい。これにより、第一縦フレーム１１Ｄ及び第二縦フレームから接続用ネジ１８が突出するのを抑制しつつ、接続用ネジ１８の締結作業性を向上することができる。
【０１４３】
また、上記実施形態では、第一縦フレーム及び第二縦フレームは、上段横フレームを介して間接的に壁に締結されるものとして説明したが、例えば、図３３に示す壁構造の支持体４Ｅのように、第一縦フレーム１１Ｅ及び第二縦フレーム１２Ｅが、締結用ネジ１７により直接的に壁１に締結されるものとしてもよい。この場合、第一縦フレーム１１Ｅ及び第二縦フレーム１２Ｅの上部に、締結用ネジ１７が挿入される、垂直方向に長い垂直長穴を形成する。これにより、第一縦フレーム１１Ｅ及び第二縦フレーム１２Ｅを壁１に締結することができるとともに、第一縦フレーム１１Ｅ及び第二縦フレーム１２Ｅを床２に対して突っ張らせることができる。また、上段横フレーム１３の代わりに、下段横フレーム１６と同形状の上段横フレーム１３Ｅを用いてもよい。
【０１４４】
また、上記実施形態では、第一縦フレーム及び第二縦フレームに垂直長穴を形成することで、第一縦フレーム及び第二縦フレームを床に対して突っ張らせるものとして説明したが、例えば、図３４に示す壁構造の支持体４Ｆのように、第一縦フレーム１１Ｆ及び第二縦フレーム１２Ｆの下端に伸縮可能な支持脚１１ｎ及び支持脚１２ｎを取り付けてもよい。この場合、第一縦フレーム１１Ｆ及び第二縦フレーム１２Ｆを上段横フレーム１３に接続した後、支持脚１１ｎ及び支持脚１２ｎを伸張させることにより、第一縦フレーム１１Ｆ及び第二縦フレーム１２Ｆを床２に対して突っ張らせることができる。また、上段横フレーム１３の代わりに、下段横フレーム１６と同形状の上段横フレーム１３Ｆを用いてもよい。
【０１４５】
また、上記実施形態では、第一縦フレーム及び第二縦フレームの下端部に、巾木３に対応する切欠きが形成されているものとして説明したが、図３４に示すように巾木が無い場合や、第一縦フレーム及び第二縦フレームの設置に巾木が問題とならない場合は、このような切欠きを形成しなくてもよい。
【０１４６】
また、上記実施形態では、第一縦フレーム及び第二縦フレームは、床に直接突っ張るものとして説明したが、巾木等の他部材を介して床に間接的に突っ張るものとしてもよい。
【０１４７】
また、上記実施形態では、縦フレームとして、第一縦フレーム及び第二縦フレームを用いるものとして説明したが、例えば、図３５に示す壁構造の支持体４Ｇのように、１本の縦フレーム１１Ｇのみで構成されていてもよい。図３５に示す支持体４Ｇでは、縦フレーム１１Ｇの上部に、締結用ネジ１７が挿入される、垂直方向に長い垂直長穴１１ｐが形成されている。このため、垂直長穴１１ｐから締結用ネジ１７を壁１にねじ込むことで、縦フレーム１１Ｇを壁１に締結することができ、垂直長穴１１ｐに対する締結用ネジ１７の締結位置を調整することで、縦フレーム１１Ｇを床２に対して突っ張らせることができる。縦フレーム１１Ｇに対するパネル５の取り付けは、例えば、磁力吸着や接着等により行うことができる。
【０１４８】
また、上記実施形態では、支持体に複数のパネルが取り付けられるものとして説明したが、例えば、支持体に１枚のパネルのみが取り付けられるものとしてもよい。
【０１４９】
また、上記実施形態では、フレームの全部又は一部が磁力により吸着される強磁性体又はマグネットにより構成されていてもよいものとして説明したが、縦フレームのみ又は縦フレームの一部のみがマグネットにより構成されている形態としてもよい。これにより、低コストでパネルを安定に固定でき、また、パネルの固定位置を調整しやすくなる。
【０１５０】
また、上記実施形態では、横フレーム及び縦フレームは、パネルを掛止するための切欠きとして、平板状の掛止部が挿入されるスリットを有するものとして説明したが、スリットの代わりに、フック状の掛止部が挿入される大きな開口を有するものとしてもよい。
【０１５１】
また、上記実施形態では、上段横フレームにスリット等の切欠きが形成されていないものとして説明したが、上段横フレームに、中段横フレームに形成されたスリット等の切欠きが形成されていてもよい。これにより、パネルを上段横フレームにも掛止することができる。
【０１５２】
また、上記実施形態では、横フレームに接続用ネジ穴が形成され、縦フレームに垂直長穴が形成されるものとして説明したが、縦フレームに接続用ネジ穴が形成され、横フレームに垂直長穴が形成されるものとしてもよい。
【０１５３】
また、上記実施形態では、複数のネジ穴７は、壁１の上部の所定高さ位置において、等間隔で水平方向に一列に配置されているものとして説明したが、複数のネジ穴７は、等間隔でなくてもよく、また、等間隔以外の一定の規則性又は周期性を持って配置されていてもよい。
【０１５４】
また、上記実施形態では、壁に形成されたネジ穴に締結用ネジをねじ込むことにより、縦フレームを壁に締結するものとして説明したが、壁にネジ穴が形成されていない場合や、締結したい位置にネジ穴が形成されていない場合は、壁自体に締結用ネジをねじ込むことにより縦フレームを壁に締結してもよい。
【０１５５】
また、上記実施形態では、パネルのパネル本体は、全面が覆われた箱状に形成されているものとして説明したが、例えば、図３６に示すパネル５Ａのように、裏面５ｄ側が開放された形状のものであってもよい。図３６に示すパネル５Ａは、パネル本体５ａと、パネル本体５ａの裏面５ｄに固定されてパネル５Ａを支持体に掛止するための掛止部５ｂと、を備えている。そして、パネル本体５ａは、１枚の鋼板の両端部を表面５ｃ側から裏面５ｄ側に折り込むことにより、裏面５ｄ側及び上下面側が開放された形状に形成されている。なお、パネル本体５ａは、１枚の鋼板の四方を表面５ｃ側から裏面５ｄ側に折り込むことにより、裏面５ｄ側のみが開放された形状に形成されていてもよい。
【０１５６】
また、上記実施形態では、マグネットの吸着によっても支持体にパネルを取り付けるものとして説明したが、マグネットを備えずに（マグネットの吸着によらずに）、支持体にパネルを取り付けるものとしてもよい。
【符号の説明】
【０１５７】
１…壁、２…床、３…巾木、４，４Ａ，４Ｂ，４Ｃ，４Ｄ，４Ｅ，４Ｆ，４Ｇ，４Ｈ…支持体、５，５Ａ…パネル、５ａ…パネル本体、５ｂ…掛止部、５ｃ…表面、５ｄ…裏面、６…パネルセット、７…ネジ穴、８…アンカ、９…ネジ穴、１１，１１ａ，１１Ｄ，１１Ｅ，１１Ｆ…第一縦フレーム（縦フレーム）、１１Ｇ…縦フレーム、１１ａ…切欠き、１１ｂ…接地部、１１ｃ，１１ｄ…第一縦フレーム分割体、１１ｅ…締結部材、１１ｆ…垂直長穴（突っ張り機構）、１１ｇ，１１ｈ，１１ｉ…ネジ穴、１１ｊ，１１ｋ…スリット（切欠き）、１１ｍ…上端（被掛止部）、１１ｎ…支持脚、１１ｒ，１１ｓ，１１ｔ…挿入孔、１２，１２ａ，１２Ｅ，１２Ｆ…第二縦フレーム（縦フレーム）、１２ａ…切欠き、１２ｂ…接地部、１２ｃ，１２ｄ…第二縦フレーム分割体、１２ｅ…締結部材、１２ｆ…垂直長穴（突っ張り機構）、１２ｇ，１２ｈ，１２ｉ…ネジ穴、１２ｊ，１２ｋ…スリット（切欠き）、１２ｍ…上端（被掛止部）、１２ｎ…支持脚、１２ｒ，１２ｓ，１２ｔ…挿入孔、１３，１３Ｅ，１３Ｆ…上段横フレーム（締結機構、突っ張り機構、横フレーム）、１３ａ…第一接続部、１３ｂ…第二接続部、１３ｃ…第一締結部、１３ｄ…第二締結部、１３ｅ…中間部、１３ｆ，１３ｇ…水平長穴、１３ｈ…接続用ネジ穴、１４，１４Ｂ，１４Ｃ…中段横フレーム、１４ａ…第一接続部、１４ｂ…第二接続部、１４ｃ…第一当接部、１４ｄ…第二当接部、１４ｅ…中間部、１４ｆ…貫通穴、１４ｇ…スリット（切欠き）、１４ｈ…上端（被掛止部）、１５，１５Ｂ，１５Ｃ…中段横フレーム、１５ａ…第一接続部、１５ｂ…第二接続部、１５ｃ…第一当接部、１５ｄ…第二当接部、１５ｅ…中間部、１５ｆ…貫通穴、１５ｇ…スリット（切欠き）、１５ｈ…上端（被掛止部）、１６…下段横フレーム、１６ａ…第一接続部、１６ｂ…第二接続部、１６ｃ…第一当接部、１６ｄ…第二当接部、１６ｅ…中間部、１６ｆ…貫通穴、１７…締結用ネジ（締結機構、突っ張り機構）、１８…接続用ネジ（締結機構、突っ張り機構）、１９ａ，１９ｂ、１９ｃ…接続用ネジ、２１…マグネット、３０…マグネット吸着棚、３１…背板、３２…側板、３３…マグネット、３４，３５，３６，３７…分割体、５１，５１Ｃ，５１Ｈ…上段パネル（パネル）、５１ａ…パネル本体、５１ｂ…掛止部、５１ｃ…表面、５１ｄ…裏面、５１ｆ…掛止部、５１ｆ１…第一掛止部、５１ｆ２…第二掛止部、５１ｈ…突起部、５２，５２Ａ，５２Ｂ，５２Ｃ，５２Ｈ…中段パネル（パネル）、５２ａ…パネル本体、５２ｂ…掛止部、５２ｃ…表面、５２ｄ…裏面、５２ｅ…掛止部、５２ｆ…掛止部、５２ｆ１…第一掛止部、５２ｆ２…第二掛止部、５２ｈ…突起部、５３，５３Ａ，５３Ｂ，５３Ｃ，５３Ｈ…下段パネル（パネル）、５３ａ…パネル本体、５３ｂ…掛止部、５３ｃ…表面、５３ｄ…裏面、５３ｅ…掛止部、５３ｆ…掛止部、５３ｆ１…第一掛止部、５３ｆ２…第二掛止部、５３ｈ…突起部。
【図１】
2020197111.tif 000003
【図２】
2020197111.tif 000004
【図３】
2020197111.tif 000005
【図４】
2020197111.tif 000006
【図５】
2020197111.tif 000007
【図６】
2020197111.tif 000008
【図７】
2020197111.tif 000009
【図８】
2020197111.tif 000010
【図９】
2020197111.tif 000011
【図１０】
2020197111.tif 000012
【図１１】
2020197111.tif 000013
【図１２】
2020197111.tif 000014
【図１３】
2020197111.tif 000015
【図１４】
2020197111.tif 000016
【図１５】
2020197111.tif 000017
【図１６】
2020197111.tif 000018
【図１７】
2020197111.tif 000019
【図１８】
2020197111.tif 000020
【図１９】
2020197111.tif 000021
【図２０】
2020197111.tif 000022
【図２１】
2020197111.tif 000023
【図２２】
2020197111.tif 000024
【図２３】
2020197111.tif 000025
【図２４】
2020197111.tif 000026
【図２５】
2020197111.tif 000027
【図２６】
2020197111.tif 000028
【図２７】
2020197111.tif 000029
【図２８】
2020197111.tif 000030
【図２９】
2020197111.tif 000031
【図３０】
2020197111.tif 000032
【図３１】
2020197111.tif 000033
【図３２】
2020197111.tif 000034
【図３３】
2020197111.tif 000035
【図３４】
2020197111.tif 000036
【図３５】
2020197111.tif 000037
【図３６】
2020197111.tif 000038
【図３７】
2020197111.tif 000039
【図３８】
2020197111.tif 000040
【図３９】
2020197111.tif 000041
【図４０】
2020197111.tif 000042
【図４１】
2020197111.tif 000043
【図４２】
2020197111.tif 000044
【図４３】
2020197111.tif 000045